(57)【要約】【課題】データ通信網を利用する広告業務に際し、新聞折込みチラシを例とする紙媒体などの既存物理媒体を用いる広告業務の基盤の利用、該広告業務との連携により、広告業務の能率や効果を向上する。【解決手段】従来からの紙媒体の、新聞折込みのチラシ広告の営業エリア（「Ａ０００１」、「Ａ０００２」、「Ａ００１１」）を、これより狭小な、郵便番号に基づいた汎用的なエリア区分（○○○−０００１、○○○−０００３、○○○−００１３など）で定義しつつ、新しいデータ通信を利用する広告業務を行う。従来の営業エリアとの融合により、小規模商店は、商圏に適合した広告業務を依頼できる。【選択図】図２
2012032893.tif 000002
【特許請求の範囲】
【請求項１】
各エリアに汎用の住所コードが付された、エリア区分を定義する情報を予め入力し、汎用地域コード定義情報として記憶保存しておくと共に、随時行われる入力により、広告業務を行う業者の営業エリアに対応するクラスタコードを割り当て、１つ又は複数の前記汎用地域コードのエリアと結び付けられる汎用地域コード群として該営業エリアを定義し、記憶保存するクラスタコードデータベース装置と、
広告業務の依頼を受け付ける際に、その広告内容の中心となるコンテンツ情報を取得すると共に、広告業務を行う対象範囲を示す前記クラスタコードを用いて、広告業務でコンテンツ情報を配信するエリアを設定する提供情報生成装置と、
配信先までの広告伝達経路の少なくとも一部にインターネットを用いて、前記コンテンツ情報を送出し、配信する狭小エリア対応情報提供装置と、
を備えたことを特徴とするエリア・ターゲッティング広告配信システム。
【請求項２】
請求項１記載の提供情報生成装置が、広告業務の依頼を受け付ける際に、その広告内容の中心となるコンテンツ情報を取得すると共に、広告業務を行う対象範囲を示す前記クラスタコードを直接的又は他の登録情報を介して間接的に入力し、該広告業務においてインターネットにより閲覧に供するコンテンツ情報にリンクするバナーを配信するエリアを設定する情報と、該バナーを表示するためのバナー情報が保存されているアドレスを示す情報とを含むバナープロファイル情報の生成を行うと共に、該配信エリア設定を、前記入力の前記クラスタコードに設定するか、又は、該入力の前記クラスタコードの前記汎用地域コード群に設定する提供情報生成装置であり、
前記狭小エリア対応情報提供装置が、パートナーサイトの閲覧の際にバナーを共に閲覧に供するためのバナー情報の要求の際に、該閲覧のサイト閲覧用端末装置の所在を示す前記汎用地域コードを、インターネットを経由して該サイト閲覧用端末装置側から取得し、該取得の汎用地域コードが前記配信エリア設定されている、又は、該取得の汎用地域コードを前記汎用地域コード群に含む前記クラスタコードが前記配信エリア設定されている、前記バナープロファイル情報を見い出し、該バナープロファイル情報の前記アドレス情報の前記バナー情報を、前記サイト閲覧用端末装置側に対して提供する狭小エリア対応情報提供装置であり、
前記バナー情報を、前記サイト閲覧用端末装置側から取得した前記汎用地域コードに対応する配信エリアに対して配信することを特徴とするエリア・ターゲッティング広告配信システム。
【請求項３】
広告業務の依頼を受け付ける際に、その広告内容の中心となるコンテンツ情報を含んだ原稿イメージデータを取得する画像入力装置、及び、
広告業務を行う対象範囲を示す前記クラスタコードを直接的又は他の登録情報を介して間接的に入力する広告依頼情報入力手段を備えると共に、
少なくとも前記原稿イメージデータから、広告業務で提供するための前記コンテンツ情報を作成するコンテンツ作成装置、及び、
広告業務依頼の受け付けの際に入力した前記クラスタコードによって、又は、該入力の前記クラスタコードの前記汎用地域コード群によって、前記コンテンツ情報にリンクするバナーの前記配信エリア設定を行う情報と共に、前記バナー情報が保存されているアドレスを示す情報、及び、当該バナーのクリック時にリンクされ配信される前記コンテンツ情報が保存されているアドレスを示す情報を含む、バナープロファイル情報データを生成するバナー情報生成装置により、請求項２記載の提供情報生成装置が構成され、
バナー毎に生成された該バナープロファイル情報データを記憶保存するデータベース装置を備え、パートナーサイトを閲覧に供するサーバ装置からのバナー要求を受信すると、該バナー要求に含まれる前記汎用地域コードが、前記配信エリア設定されている前記バナープロファイル情報に対応する前記バナー情報、又は、該取得の汎用地域コードを前記汎用地域コード群に含む前記クラスタコードが、前記配信エリア設定されている前記バナープロファイル情報の前記アドレス情報の前記バナー情報を、前記バナー要求に対して返信し配信するバナー管理サーバ装置により、請求項２記載の狭小エリア対応情報提供装置が構成され、
前記バナー情報を、前記サイト閲覧用端末装置側から取得した前記汎用地域コードに対応する配信エリアに対して配信することを特徴とするエリア・ターゲッティング広告配信システム。
【請求項４】
請求項１記載の提供情報生成装置が、広告業務の依頼を受け付ける際に、その広告内容の中心となるコンテンツ情報を取得すると共に、広告業務を行う対象範囲を示す前記クラスタコードを直接的又は他の登録情報を介して間接的に入力し、バナーのクリック時に該コンテンツ情報を配信するエリアを設定する情報と、該コンテンツ情報が保存されているアドレスを示す情報とを含むリンクプロファイル情報の生成を行うと共に、該配信エリア設定を、前記入力の前記クラスタコードに設定するか、又は、該入力の前記クラスタコードの前記汎用地域コード群に設定する提供情報生成装置であり、
前記狭小エリア対応情報提供装置が、パートナーサイト閲覧中のバナーのクリック時に発生する前記コンテンツ情報へのリンクの際に、該閲覧のサイト閲覧用端末装置の所在を示す前記汎用地域コードを、インターネットを経由して該サイト閲覧用端末装置側から取得し、該取得の汎用地域コードが前記配信エリア設定されている、又は、該取得の汎用地域コードを前記汎用地域コード群に含む前記クラスタコードが前記配信エリア設定されている、前記リンクプロファイル情報を見い出し、該リンクプロファイル情報の前記アドレス情報の前記コンテンツ情報を前記サイト閲覧用端末装置側に対して提供する狭小エリア対応情報提供装置であり、
前記コンテンツ情報を、前記サイト閲覧用端末装置側から取得した前記汎用地域コードに対応する配信エリアに対して配信することを特徴とするエリア・ターゲッティング広告配信システム。
【請求項５】
請求項１記載の提供情報生成装置が、広告業務の依頼を受け付ける際に、その広告内容の中心となるコンテンツ情報を取得すると共に、広告業務を行う対象範囲を示す前記クラスタコードを直接的又は他の登録情報を介して間接的に入力し、該広告業務においてインターネットにより送信するコンテンツ情報を含んだ電子メールの配信エリアを設定する情報と、該コンテンツ情報が保存されているアドレスを示す情報とを含むメールプロファイル情報の生成を行うと共に、該配信エリア設定を、前記入力の前記クラスタコードに設定するか、又は、該入力の前記クラスタコードの前記汎用地域コード群に設定する提供情報生成装置であり、
前記狭小エリア対応情報提供装置が、パートナーサイトの閲覧の際にバナーを共に閲覧に供するためのバナー情報の要求の際、又は、パートナーサイト閲覧中のバナーやボタンのクリックの際に、該閲覧のサイト閲覧用端末装置の所在を示す前記汎用地域コード、及び該閲覧をする者の電子メールのアドレスを、インターネットを経由して該サイト閲覧用端末装置側から取得し、該取得の汎用地域コードが前記配信エリア設定されている、又は、該取得の汎用地域コードを前記汎用地域コード群に含む前記クラスタコードが前記配信エリア設定されている、前記メールプロファイル情報を見い出し、該メールプロファイル情報の前記アドレス情報の前記コンテンツ情報を含む電子メールを、前記電子メールアドレスに対して送信する狭小エリア対応情報提供装置である、
前記コンテンツ情報を、前記サイト閲覧用端末装置側から取得した前記汎用地域コードに対応する配信エリアに所在する者の、同時に取得した前記電子メールアドレスに対して送信することを特徴とするエリア・ターゲッティング広告配信システム。
【請求項６】
前記狭小エリア対応情報提供装置からの配信の実績に基づいて広告効果を測定する効果測定用サーバ装置を、更に備えたことを特徴とする請求項１乃至５のいずれか１つに記載のエリア・ターゲッティング広告配信システム。
【請求項７】
前記クラスタコードデータベース装置、前記画像入力装置、前記広告依頼情報入力手段、前記コンテンツ作成装置、前記バナー情報生成装置、及び前記バナー管理サーバ装置を、広告代理店サーバ装置に備えたことを特徴とする請求項３に記載のエリア・ターゲッティング広告配信システム。
【請求項８】
前記クラスタコードデータベース装置は、データ管理会社サーバ装置に備え、
前記画像入力装置、前記広告依頼情報入力手段、前記コンテンツ作成装置、及び前記バナー情報生成装置は、広告代理店サーバ装置に備え、
前記バナー管理サーバ装置は、これらデータ管理会社サーバ装置及び広告代理店サーバ装置とは別に設けたことを特徴とする請求項３に記載のエリア・ターゲッティング広告配信システム。
【請求項９】
前記クラスタコードデータベース装置は、データ管理会社サーバ装置に備え、
前記画像入力装置、及び前記広告依頼情報入力手段は、前記広告業務業者である新聞販売店に設けるパーソナルコンピュータ装置に備え、
前記コンテンツ作成装置、及び前記バナー情報生成装置は、広告代理店サーバ装置に備えたことを特徴とする請求項３に記載のエリア・ターゲッティング広告配信システム。
【請求項１０】
請求項７に記載の前記クラスタコードデータベース装置、前記画像入力装置、前記広告依頼情報入力手段、前記コンテンツ作成装置、前記バナー情報生成装置、及び前記バナー管理サーバ装置、又は、請求項８に記載の前記画像入力装置、前記広告依頼情報入力手段、前記コンテンツ作成装置、及び前記バナー情報生成装置、又は、請求項９に記載の前記コンテンツ作成装置、及び前記バナー情報生成装置を備えたことを特徴とする広告代理店サーバ装置。
【請求項１１】
請求項９に記載の前記画像入力装置、及び前記広告依頼情報入力手段を備えたことを特徴とする新聞販売店パーソナルコンピュータ装置。
【請求項１２】
請求項８又は請求項９に記載の前記クラスタコードデータベース装置を備えたことを特徴とするデータ管理会社サーバ装置。
【請求項１３】
請求項１０に記載の広告代理店サーバ装置、請求項１１に記載の新聞販売店パーソナルコンピュータ装置、又は、請求項１２に記載のデータ管理会社サーバ装置を実現するためのコンピュータ・プログラム。
【発明の詳細な説明】
【技術分野】
【０００１】
本発明は、エリア・ターゲッティング広告配信システムに係り、特に、データ通信網を利用する広告業務に際し、新聞への折込みチラシなどの既存物理媒体を用いる広告業務の基盤を利用したり、このような既存物理媒体を用いる広告業務と連携することにより、データ通信網を利用する情報伝達や広告業務の能率や効果を向上することが可能な、エリア・ターゲッティング広告配信システム、広告代理店サーバ装置、新聞販売店パーソナルコンピュータ装置、データ管理会社サーバ装置、及び、コンピュータ・プログラムに関する。
【背景技術】
【０００２】
特許文献１には、各種の料理、総菜、食料品、事務機器や文具等のデリバリーサービス提供者が、データ通信網を通じて、自己の提供する商品やサービスを所定の地域においてデリバリー可能である旨を、その地域の住民や会社等に周知させるための技術が開示されている。又、同業他社あるいは同地域内における他社と比較して、需要者による認知度が高くより有利な広告表示位置を確保することを助長させることにより、所定のデリバリー提供者の広告効果をより高めることができるようにしている。
【０００３】
又、特許文献２には、バナー広告や電子メールマガジンを使用した電子メール広告の利用対象を、パーソナルコンピュータのユーザに限らず、携帯可能な端末に対してメールとして配信することが記載されている。
【０００４】
又、特許文献３には、ユーザーの特性として、郵便番号、性別、結婚の有無、職業、年齢若しくはこれらの組み合わせによる分類でグループ分けを行うなど、広告主の要求に応じてユーザーの特性を分類し、当該分類されたユーザーを特定グループ内に所属させ、当該ユーザーのサイトページにアクセスする情報及び広告主の広告ページにアクセスする情報をユーザーの順位を定めてアクセス情報テーブルに設定することが記載されている。この特許文献３では、このような分類でグループ分けを行うことで、地域に合った狭小エリアの広告閲覧を行うことができるとしている。
【０００５】
又、特許文献４では、Ｗｅｂページの属性に応じたバナーデータを当該コンテンツに挿入して表示し、マウスポインタがバナーデータ上に位置している間、バナーデータに含まれる動画の再生出力を変化させ、その再生出力の変化を検出すること、及び、これによりバナーデータの注目頻度を計測し、注目頻度に応じた課金処理を行うことが記載されている。これによって、動画によるバナー広告を、Ｗｅｂページへアクセスする客層に応じて複数表示することを可能とするとともに、そのバナー広告に対するアクセス者の注目頻度に応じた適切な課金を可能とすることが記載されている。
【先行技術文献】
【特許文献】
【０００６】
【特許文献１】特開２００１−３０６９２５号公報
【特許文献２】特開２０００−２１５１２２号公報
【特許文献３】特開２００６−２０２１８９号公報
【特許文献４】特開２００７−１６４７１０号公報
【発明の概要】
【発明が解決しようとする課題】
【０００７】
ここで、データ通信網の利用以前の、紙媒体などの、旧来の物理的媒体や人的活動を用いた情報伝達や広告業務、例えば、新聞折込みチラシなどの広告配布や、営業員による対人情報伝達は、現在でも広く行われ、広告などの情報伝達を、容易に、能率良く行うことができている。このような、旧来の物理的媒体や人的活動を用いた情報伝達を、以下既存物理媒体と呼ぶ。又、該既存物理媒体を用いる情報伝達や広告業務を、既存物理媒体を用いる広告業務と呼ぶ。
【０００８】
例えば、スーパーマーケットの特売チラシなどは、安売りセールやその商品販売価格の広告を、特に限定された周囲の商圏の顧客に対して容易に、且つ、迅速に周知させることができる点では、広告主側だけでなく広告を受ける側においても、インターネットが一般家庭にも広く普及した今日でも、極めて優れたものとなっている。
【０００９】
又、広告主側においても、広告業務を担う者においても、更には広告業務により情報を受ける側においても、既存物理媒体を用いる広告業務がなくてはならないものとなり、その基盤は、極めて根深く形成されている。例えば、このような広告業務における営業エリアの区分も、このような基盤に含まれるものであり、個々の営業エリアの広さや形状や含まれる人口の構成、商圏との結び付きの度合いの強さなどは、これら広告主、広告業務の業者、広告の受け手の３者のいずれにも好適に適合するように形成されている。
【００１０】
それにもかかわらず、インターネットその他、データ通信網を利用する情報伝達や広告業務では、このように形成された基盤を利用したり、該基盤を利用する従来の広告業務と連携した活動を行ったりすることは考えられていなかった。
【００１１】
本発明は、前記従来の問題点を解決するべくなされたもので、データ通信網を利用する広告業務に際し、新聞折込みチラシを例とする紙媒体などの既存物理媒体を用いる広告業務の基盤を利用したり、このような既存物理媒体を用いる広告業務と連携したりすることにより、データ通信網を利用する情報伝達や広告業務の能率や効果を向上することができるエリア・ターゲッティング広告配信システムを提供することを課題とする。
【課題を解決するための手段】
【００１２】
本発明は、各エリアに汎用の住所コードが付された、エリア区分を定義する情報を予め入力し、汎用地域コード定義情報として記憶保存しておくと共に、随時行われる入力により、広告業務を行う業者の営業エリアに対応するクラスタコードを割り当て、１つ又は複数の前記汎用地域コードのエリアと結び付けられる汎用地域コード群として該営業エリアを定義し、記憶保存するクラスタコードデータベース装置と、広告業務の依頼を受け付ける際に、その広告内容の中心となるコンテンツ情報を取得すると共に、広告業務を行う対象範囲を示す前記クラスタコードを用いて、広告業務でコンテンツ情報を配信するエリアを設定する提供情報生成装置と、配信先までの広告伝達経路の少なくとも一部にインターネットを用いて、前記コンテンツ情報を送出し、配信する狭小エリア対応情報提供装置と、を備えたことにより、前記課題を解決したものである。
【００１３】
ここで、上記の提供情報生成装置が、広告業務の依頼を受け付ける際に、その広告内容の中心となるコンテンツ情報を取得すると共に、広告業務を行う対象範囲を示す前記クラスタコードを直接的又は他の登録情報を介して間接的に入力し、該広告業務においてインターネットにより閲覧に供するコンテンツ情報にリンクするバナーを配信するエリアを設定する情報と、該バナーを表示するためのバナー情報が保存されているアドレスを示す情報とを含むバナープロファイル情報の生成を行うと共に、該配信エリア設定を、前記入力の前記クラスタコードに設定するか、又は、該入力の前記クラスタコードの前記汎用地域コード群に設定する提供情報生成装置であり、前記狭小エリア対応情報提供装置が、パートナーサイトの閲覧の際にバナーを共に閲覧に供するためのバナー情報の要求の際に、該閲覧のサイト閲覧用端末装置の所在を示す前記汎用地域コードを、インターネットを経由して該サイト閲覧用端末装置側から取得し、該取得の汎用地域コードが前記配信エリア設定されている、又は、該取得の汎用地域コードを前記汎用地域コード群に含む前記クラスタコードが前記配信エリア設定されている、前記バナープロファイル情報を見い出し、該バナープロファイル情報の前記アドレス情報の前記バナー情報を、前記サイト閲覧用端末装置側に対して提供する狭小エリア対応情報提供装置であることにより、前記バナー情報を、前記サイト閲覧用端末装置側から取得した前記汎用地域コードに対応する配信エリアに対して配信することができる。
【００１４】
又、広告業務の依頼を受け付ける際に、その広告内容の中心となるコンテンツ情報を含んだ原稿イメージデータを取得する画像入力装置、及び、広告業務を行う対象範囲を示す前記クラスタコードを直接的又は他の登録情報を介して間接的に入力する広告依頼情報入力手段を備えると共に、少なくとも前記原稿イメージデータから、広告業務で提供するための前記コンテンツ情報を作成するコンテンツ作成装置、及び、広告業務依頼の受け付けの際に入力した前記クラスタコードによって、又は、該入力の前記クラスタコードの前記汎用地域コード群によって、前記コンテンツ情報にリンクするバナーの前記配信エリア設定を行う情報と共に、前記バナー情報が保存されているアドレスを示す情報、及び、当該バナーのクリック時にリンクされ配信される前記コンテンツ情報が保存されているアドレスを示す情報を含む、バナープロファイル情報データを生成するバナー情報生成装置により、前記の提供情報生成装置が構成され、バナー毎に生成された該バナープロファイル情報データを記憶保存するデータベース装置を備え、パートナーサイトを閲覧に供するサーバ装置からのバナー要求を受信すると、該バナー要求に含まれる前記汎用地域コードが、前記配信エリア設定されている前記バナープロファイル情報に対応する前記バナー情報、又は、該取得の汎用地域コードを前記汎用地域コード群に含む前記クラスタコードが、前記配信エリア設定されている前記バナープロファイル情報の前記アドレス情報の前記バナー情報を、前記バナー要求に対して返信し配信するバナー管理サーバ装置により、前記の狭小エリア対応情報提供装置が構成されることで、前記バナー情報を、前記サイト閲覧用端末装置側から取得した前記汎用地域コードに対応する配信エリアに対して配信することができる。
【００１５】
あるいは、前記の提供情報生成装置が、広告業務の依頼を受け付ける際に、その広告内容の中心となるコンテンツ情報を取得すると共に、広告業務を行う対象範囲を示す前記クラスタコードを直接的又は他の登録情報を介して間接的に入力し、バナーのクリック時に該コンテンツ情報を配信するエリアを設定する情報と、該コンテンツ情報が保存されているアドレスを示す情報とを含むリンクプロファイル情報の生成を行うと共に、該配信エリア設定を、前記入力の前記クラスタコードに設定するか、又は、該入力の前記クラスタコードの前記汎用地域コード群に設定する提供情報生成装置であり、前記狭小エリア対応情報提供装置が、パートナーサイト閲覧中のバナーのクリック時に発生する前記コンテンツ情報へのリンクの際に、該閲覧のサイト閲覧用端末装置の所在を示す前記汎用地域コードを、インターネットを経由して該サイト閲覧用端末装置側から取得し、該取得の汎用地域コードが前記配信エリア設定されている、又は、該取得の汎用地域コードを前記汎用地域コード群に含む前記クラスタコードが前記配信エリア設定されている、前記リンクプロファイル情報を見い出し、該リンクプロファイル情報の前記アドレス情報の前記コンテンツ情報を前記サイト閲覧用端末装置側に対して提供する狭小エリア対応情報提供装置であることにより、前記コンテンツ情報を、前記サイト閲覧用端末装置側から取得した前記汎用地域コードに対応する配信エリアに対して配信することができる。
【００１６】
あるいは、前記の提供情報生成装置が、広告業務の依頼を受け付ける際に、その広告内容の中心となるコンテンツ情報を取得すると共に、広告業務を行う対象範囲を示す前記クラスタコードを直接的又は他の登録情報を介して間接的に入力し、該広告業務においてインターネットにより送信するコンテンツ情報を含んだ電子メールの配信エリアを設定する情報と、該コンテンツ情報が保存されているアドレスを示す情報とを含むメールプロファイル情報の生成を行うと共に、該配信エリア設定を、前記入力の前記クラスタコードに設定するか、又は、該入力の前記クラスタコードの前記汎用地域コード群に設定する提供情報生成装置であり、前記狭小エリア対応情報提供装置が、パートナーサイトの閲覧の際にバナーを共に閲覧に供するためのバナー情報の要求の際、又は、パートナーサイト閲覧中のバナーやボタンのクリックの際に、該閲覧のサイト閲覧用端末装置の所在を示す前記汎用地域コード、及び該閲覧をする者の電子メールのアドレスを、インターネットを経由して該サイト閲覧用端末装置側から取得し、該取得の汎用地域コードが前記配信エリア設定されている、又は、該取得の汎用地域コードを前記汎用地域コード群に含む前記クラスタコードが前記配信エリア設定されている、前記メールプロファイル情報を見い出し、該メールプロファイル情報の前記アドレス情報の前記コンテンツ情報を含む電子メールを、前記電子メールアドレスに対して送信する狭小エリア対応情報提供装置であることにより、前記コンテンツ情報を、前記サイト閲覧用端末装置側から取得した前記汎用地域コードに対応する配信エリアに所在する者の、同時に取得した前記電子メールアドレスに対して送信することができる。
【００１７】
ここで、前記狭小エリア対応情報提供装置からの配信の実績に基づいて広告効果を測定する効果測定用サーバ装置を、更に備えることで、サイト閲覧者の広告効果を測定することができる。
【００１８】
又、前記クラスタコードデータベース装置、前記画像入力装置、前記広告依頼情報入力手段、前記コンテンツ作成装置、前記バナー情報生成装置、及び前記バナー管理サーバ装置を、広告代理店サーバ装置に備えるようにして、従来、新聞折込みのチラシ広告を仲介していた広告代理店において、データ通信網を利用して行う、これまでの新聞販売店の営業エリアに対応した地域に対応する広告業務の受託を可能とすることができる。
【００１９】
前記クラスタコードデータベース装置は、データ管理会社サーバ装置に備え、前記画像入力装置、前記広告依頼情報入力手段、前記コンテンツ作成装置、前記バナー情報生成装置は、広告代理店サーバ装置に備え、前記バナー管理サーバ装置は、これらデータ管理会社サーバ装置及び広告代理店サーバ装置とは別に設けるようにしたことにより、エリア・ターゲッティング広告配信システムにおける各装置業務を分担し、業務の負荷を分散することができる。
【００２０】
前記クラスタコードデータベース装置は、データ管理会社サーバ装置に備え、前記画像入力装置、及び前記広告依頼情報入力手段は、前記広告業務業者である新聞販売店に設けるパーソナルコンピュータ装置に備え、前記コンテンツ作成装置、及び前記バナー情報生成装置は、広告代理店サーバ装置に備えるようにしたことにより、エリア・ターゲッティング広告配信システムにおける各装置業務を分担し、業務の負荷を分散することができる。
【００２１】
エリア・ターゲッティング広告配信システムでは、幾つかの構成例の、広告代理店サーバ装置、新聞販売店パーソナルコンピュータ装置、データ管理会社サーバ装置を提供することができる。又、これらは、コンピュータ・プログラムによって実現することができる。
【発明の効果】
【００２２】
本発明によれば、クラスタコードを付して、新聞折込みチラシを例とする紙媒体などの既存物理媒体を用いる広告業務において築かれた基盤の営業エリアを、有機的に、一般に広く用いられている「郵便番号」などの汎用地域コードによる汎用エリア区分と結び付けることができる。
【００２３】
更に、この汎用エリア区分は、データ通信網を利用するサービスを提供する際の便宜が図られており、インターネットによりサイトを提供する際に、サイト側から閲覧者側の居場所を示す、各エリアの汎用地域コードを取得する手法も整備されている。同時に、既存物理媒体の営業エリアは、広告主側においても、広告業務を担う者においても、広告業務により情報を受ける側においても、商圏との結び付きの度合いの強さ、営業エリアの広さや形状や人口構成など、広告業務に対応したものとして形成されている。
【００２４】
従って、データ通信網を利用する広告業務に際し、新聞折込みチラシを例とする紙媒体などの既存物理媒体を用いる広告業務の基盤を利用したり、このような既存物理媒体を用いる広告業務と連携したりすることが効果的になされる。これにより、データ通信網を利用するその情報伝達や広告業務の能率や効果を向上することができる。インターネットというグローバルな情報伝達手段を利用しながら、クラスタコードの営業エリアや汎用区分エリアという、町丁目で区分されるような狭小エリア単位で広告業務を効果的に行うことができる。
【図面の簡単な説明】
【００２５】
【図１】本実施形態における広告業務を行う業者の営業エリアのエリア区分を示す模式的な地図
【図２】上記実施形態における汎用の住所コードが付されたエリア区分を示す模式的な地図
【図３】前記実施形態におけるクラスタコードを割り当てる営業エリアに対する、汎用の住所コードの汎用区分エリアの結び付けの一例を示す線図
【図４】前記実施形態においてクラスタコードの営業エリアに対する、汎用区分エリアの結び付けを示すデータテーブルの一例を示す線図
【図５】前記実施形態において各汎用区分エリアの結び付けられている、営業エリアのクラスタコードを示すデータテーブルの一例を示す線図
【図６】前記実施形態において、その広告内容を含む紙媒体の原稿を広告主から受け取ってから、実際にこの広告内容をサイト閲覧者が閲覧するまでの概要を示すフローチャート
【図７】前記実施形態のエリア・ターゲッティング広告配信システムの全体における構成を示すブロック図
【図８】図６に対応する本実施形態のエリア・ターゲッティング広告配信システムを構成する各装置の設置者とこれら装置の相互関係を示すブロック図
【図９】前記実施形態に用いるサーバ装置やＰＣ装置の典型的なハードウェア構成を示すブロック図
【図１０】前記実施形態の主要部の構成を示すブロック図
【図１１】前記実施形態におけるクラスタコード定義登録を含む広告業務依頼処理を示すフローチャート
【図１２】前記実施形態においてバナー管理会社サーバ装置に保存されているバナープロファイル情報データテーブルを示す線図
【図１３】前記実施形態における既存クラスタコード定義登録を利用する広告業務依頼処理を示すフローチャート
【図１４】前記実施形態においてサイト閲覧用端末装置により閲覧したサイトの表示例を示す表示画面図
【図１５】前記実施形態においてＩＰテレビがサイト閲覧用端末装置となり「郵便番号」を汎用地域コードとする汎用地域コード対応バナー表示方法を示すフローチャート
【図１６】前記実施形態においてＰＣ装置がサイト閲覧用端末装置となり「郵便番号」を汎用地域コードとする汎用地域コード対応バナー表示方法を示すフローチャート
【図１７】前記実施形態におけるサイトアクセスログ処理を示すフローチャート
【図１８】前記実施形態において用いられるサイトアクセスログの一例を示す線図
【図１９】前記実施形態における広告効果測定処理を示すフローチャート
【図２０】前記実施形態において提供する地図様式の広告効果測定結果を示す線図
【図２１】前記実施形態においてＧＰＳにおける緯度及び経度の位置表示（ＧＰＳ位置情報）という、汎用の住所コードに従った汎用エリア区分の変形例を示す模式的な地図
【図２２】前記実施形態においてＧＰＳ利用モバイル端末がサイト閲覧用端末装置となり「ＧＰＳ位置情報」を汎用地域コードとする汎用地域コード対応バナー表示方法を示すフローチャート
【図２３】前記実施形態において、公衆無線ＬＡＮ網におけるアクセス中のルータの設定位置情報を利用した変形例における、汎用の住所コードが付された汎用エリア区分を示す模式的な地図
【図２４】前記実施形態において公衆無線ＬＡＮルータ利用モバイル端末がサイト閲覧用端末装置となり「ルータの設定位置情報」を汎用地域コードとする汎用地域コード対応バナー表示方法を示すフローチャート
【図２５】前記図６の変形例となる、前記実施形態において、その広告内容を含む紙媒体の原稿を広告主から受け取ってから、実際にこの広告内容をサイト閲覧者が閲覧するまでの概要を示すフローチャート
【図２６】上記図２５の変形例における、エリア・ターゲッティング広告配信システムを構成する各装置の設置者とこれら装置の相互関係を示すブロック図
【図２７】前記図１０の第１の変形例となる、前記実施形態における主要部の構成を示すブロック図
【図２８】前記図１０の第２の変形例となる、前記実施形態における主要部の構成を示すブロック図
【発明を実施するための形態】
【００２６】
以下図面を参照して、本発明の実施形態を詳細に説明する。
【００２７】
図１は、本実施形態における広告業務を行う業者の営業エリアのエリア区分を示す模式的な地図である。
【００２８】
この図において、太線の一点鎖線によって営業エリアの境界が図示される。各営業エリアに対してはクラスタコードが割り当てられ、この図において、「Ａ０００１」、「Ａ０００２」、「Ａ００１１」は、クラスタコードの例である。
【００２９】
本実施形態において、営業エリアを有して広告業務を行う業者は、一例として、新聞販売店が該当している。新聞販売店は、担当する配達エリアが営業エリアになり、配達する新聞に折り込むチラシによって広告業務を行うことになる。
【００３０】
図２は、本実施形態における汎用の住所コードが付された汎用エリア区分を示す模式的な地図である。
【００３１】
この図では、日本国内で広く用いられる「郵便番号」による汎用エリア区分を一例として示している。この「郵便番号」は、郵便公社だけでなく宅配便などでも広く利用され、一般用に汎用化されたものとなっている。又、この「郵便番号」は、米国では「ＺＩＰコード（ＺＩＰ  ｃｏｄｅ）」として知られる。
【００３２】
なお、以下においては、この「郵便番号」や「ＺＩＰコード」によるものを含め、一般に広く汎用化されたエリア区分を汎用エリア区分と呼び、該汎用エリア区分の各エリアは汎用区分エリアと呼ぶ。又、「郵便番号」や「ＺＩＰコード」など、各エリアに付与される汎用化されたコードを、「汎用地域コード」と呼ぶ。
【００３３】
この図２においては、太線の一点鎖線によるクラスタコードの営業エリアの境界の描画から明らかであるが、前述の図１と同じ地域が図示される。又、前述のクラスタコードの「Ａ０００１」、「Ａ０００２」、「Ａ００１１」が図示され、その営業エリアが図１と同様に図示されている。
【００３４】
更に、この図２においては、○○○−０００１〜○○○−０００３、○○○−００１３、○○○−００１５、○○○−００３２〜○○○−００３８、○○○−００５１、○○○−００５２の、「郵便番号」に従って汎用エリア区分された汎用区分エリアが図示される。
【００３５】
ここで、クラスタコードが「Ａ０００１」の営業エリアには、○○○−０００２の汎用区分エリアの全体が含まれ、又、○○○−０００１、○○○−０００３、○○○−００１３、○○○−００１５、○○○−００３２〜○○○−００３５の汎用区分エリアの一部が含まれている。又、クラスタコードが「Ａ００１１」の営業エリアには、○○○−００３６〜○○○−００３８の汎用区分エリアの全体が含まれ、○○○−００３２、○○○−００３３、○○○−００３５、○○○−００５１、○○○−００５２の個々の汎用区分エリアの一部が含まれている。なお、上述のように、○○○−００３２、○○○−００３３、○○○−００３５のそれぞれの汎用区分エリアは、その少なくとも一部が「Ａ０００１」の営業エリアにも、「Ａ００１１」の営業エリアにも含まれている。
【００３６】
なお、各営業エリアにおいて、極少ない面積のみが含まれる汎用区分エリアも存在する。ここで、どの程度の広さ以上であれば、該当の営業エリアに含まれる汎用区分エリアと判断するか、その閾値の面積は、適宜設定することになる。例えば、該閾値の面積は、営業エリアや汎用区分エリアの定義登録や、本発明を適用するクラスタコードの定義登録において、面積の定義誤差が生じるので、該誤差の面積程度に設定することも考えられる。
【００３７】
なお、この図２においては、本発明において、クラスタコードを付して、新聞折込みチラシを例とする紙媒体などの既存物理媒体を用いる広告業務において築かれた基盤の営業エリアを、有機的に、一般に広く用いられている「郵便番号」の汎用エリア区分と結び付ける様子が示される。
【００３８】
この「郵便番号」の汎用エリア区分は、データ通信網を利用するサービスを提供する際の便宜が図られており、インターネットによりサイトを提供する際に、サイト側から閲覧者側の居場所を示す「郵便番号」を取得する手法も整備されている。
【００３９】
既存物理媒体の営業エリアは、広告主側においても、広告業務を担う者においても、広告業務により情報を受ける側においても、広告業務に対応した体制が形成されている。例えば、小規模の商店は、新聞販売店の営業エリアが、こうした商店の商圏に適合しているので、これまでのこの営業エリアで依頼していた新聞折込みのチラシ広告と同じ感覚で、インターネットのデータ通信網を用いる広告業務の依頼をすることができる。このことは、新聞販売店や広告代理店にとっても同様であり、新聞折込みの広告業務のみ依頼していたこれまでの広告主に対して、インターネットのデータ通信網を用いる広告業務の提案の利用を容易にすることができる。
【００４０】
更には、新聞販売店の同じ営業エリアにおいて、従前の新聞折込みのチラシによる広告と並行して、インターネットのデータ通信網を用いる広告を行うことも容易になり、相乗効果を期待することができる。これにより、例えば、新聞折込みのチラシでは提供できない詳細な情報を、データ通信網を用いて提供したり、データ通信網を用いる広告の閲覧を新聞折込みのチラシにより促進したりすることもできる。又、新聞折込みのチラシによる広告による効果を、データ通信網を用いる広告の反応から、間接的に把握することもできる。
【００４１】
従って、データ通信網を利用する広告業務に際し、新聞折込みチラシを例とする紙媒体などの既存物理媒体を用いる広告業務の基盤を利用したり、このような既存物理媒体を用いる広告業務と連携したりすることが効果的になされる。これにより、データ通信網を利用するその情報伝達や広告業務の能率や効果を向上することができる。
【００４２】
図３は、本実施形態におけるクラスタコードを割り当てる営業エリアに対する、汎用の住所コードの汎用区分エリアの結び付けの一例を示す線図である。
【００４３】
この図３は、前述の図１及び図２に対応するものであり、特に図１における「Ａ０００１」と「Ａ００１１」のクラスタコードの営業エリアに対する、図２における汎用区分エリアの結び付けが一例として示される。本実施形態では、広告業務を行う業者の営業エリアに対応するクラスタコードを割り当て、１つ又は複数の前記汎用地域コードのエリアと結び付けられる汎用地域コード群として該営業エリアを定義する。又、該定義は、後述するクラスタコードデータベース装置７４に記憶保存する。
【００４４】
即ち、クラスタコードが「Ａ０００１」の営業エリアには、○○○−０００１〜○○○−０００３、○○○−００１３、○○○−００１５、○○○−００３２〜○○○−００３５の汎用区分エリアが結び付けられている。又、クラスタコードが「Ａ００１１」の営業エリアには、○○○−００３２〜○○○−００３８、○○○−００５１、○○○−００５２の汎用区分エリアが結び付けられている。
【００４５】
次に、図４は、前述の図１〜図３に対応する、本実施形態においてクラスタコードの営業エリアに対する、汎用区分エリアの結び付けを示すデータテーブルの一例を示す線図である。
【００４６】
この図において、左端の欄は、各営業エリアのクラスタコードが示される。又、この右隣の欄には、該当の営業エリアに対応する汎用区分エリアの郵便番号が列挙され示される。
【００４７】
一例として、左端の欄でクラスタコードが「Ａ０００１」が記される枠の右隣枠には、該「Ａ０００１」の営業エリアに結び付けられる汎用区分エリアの、○○○−０００１〜○○○−０００３、○○○−００１３、○○○−００１５、○○○−００３２〜○○○−００３５の郵便番号が記されている。又、左端の欄でクラスタコードが「Ａ００１１」が記される枠の右隣枠には、該「Ａ００１１」の営業エリアに結び付けられる汎用区分エリアの、○○○−００３２〜○○○−００３８、○○○−００５１、○○○−００５２の郵便番号が記されている。
【００４８】
図５は、前述の図３又図４に対応する、本実施形態において各汎用区分エリアの結び付けられている、営業エリアのクラスタコードを示すデータテーブルの一例を示す線図である。この図５は、上述の図４で示される結び付けを逆引きするデータテーブルとなっている。
【００４９】
図６は、本実施形態において、その広告内容を含む紙媒体の原稿を広告主１０から受け取ってから、実際にこの広告内容をサイト閲覧者１８が閲覧するまでの概要を示すフローチャートである。
【００５０】
まず、広告代理店１１は、その広告内容の中心となるコンテンツ情報を含んだ、紙媒体の原稿を広告主１０から受け取る（図中のＡ１、Ａ２）。この紙媒体の原稿によって作成されるチラシは、新聞販売店１２が定期購読者の新聞購読者１３に新聞を配達する際に、折込みチラシとして新聞購読者１３に配布される（図中のＡ３〜Ａ６）。
【００５１】
又、広告代理店１１は、この紙媒体の原稿を元に、提供するコンテンツ情報を含む原稿イメージデータを生成し、電子化されたコンテンツデータを作成する。又、これと共に、このコンテンツデータを閲覧に供する際の、バナー情報を作成する。
【００５２】
このバナー情報は、広告代理店１１が提供するサイトにバナーを組み込まれ、サイト閲覧者１８に閲覧される（図中のＡ７、Ａ８）。このサイトは、広告主１０に特に関係せずに自らのコンテンツ情報を提供するもので、該提供に際して広告主１０のバナーも表示される。サイト閲覧者１８がこのバナーをクリックすると、該広告代理店１１がこのバナーに対応するサイトから該当のコンテンツデータを提供する（図中のＡ７、Ａ８）。
【００５３】
あるいは、このバナー情報は、広告代理店１１からパートナーＩＴ会社１５のサーバ装置に送られ（図中のＡ９、Ａ１０）、該パートナーＩＴ会社１５が提供するサイトにバナーを組み込まれるようにしてもよい。そして、このパートナーＩＴ会社１５が提供するサイト、及び該サイトに組み込みのバナーがサイト閲覧者１８に閲覧される（図中のＡ１１〜Ａ１４）。サイト閲覧者１８がこのバナーをクリックすると、該広告代理店１１がこのバナーに対応するサイトから該当のコンテンツデータを提供する（図中のＡ７、Ａ８）。
【００５４】
あるいは、広告代理店１１は、適当なパートナーＩＴ会社１５のサーバ装置に対して、予めコンテンツデータを送っておくことも考えられる（図中のＡ９、Ａ１０）。この場合、サイト閲覧者１８がこのコンテンツデータを提供するサイトにリンクするバナーをクリックした際には、該パートナーＩＴ会社１５のサーバ装置がこのバナーに対応するサイトから、上述のように広告代理店１１からパートナーＩＴ会社１５に予め送られている、該当のコンテンツデータを提供する（図中のＡ１１〜Ａ１４）。
【００５５】
ここで、図７は、本実施形態のエリア・ターゲッティング広告配信システムの全体における構成を示すブロック図である。又、図８は、本実施形態のエリア・ターゲッティング広告配信システムを構成する各装置の設置者とこれら装置の相互関係を示すブロック図である。
【００５６】
図７に示されるように、各装置の接続は、インターネット１が中核になっている。又、これらの図７及び図８に示されるように、該インターネット１には、広告代理店１１が設ける広告代理店サーバ装置３１及び効果測定用サーバ装置３２と、パートナーＩＴ会社１５の１つであるデータ管理会社１５Ａが設けるデータ管理会社サーバ装置３３と、パートナーＩＴ会社１５の１つであるコンテンツ管理会社１５Ｃが設けるコンテンツ管理会社サーバ装置３５と、パートナーＩＴ会社１５の１つであるバナー管理会社１５Ｂが設けるバナー管理会社サーバ装置３６と、パートナーＩＴ会社１５の１つである広告パートナー会社１５Ｄが設ける広告パートナー会社サーバ装置４０と、が接続されている。なお、本実施形態では特に設けないが、後述する図２５及び図２６の変形例のように、新聞販売店１２においてこの図７に示すように新聞販売店ＰＣ装置３８を設け、更に該新聞販売店ＰＣ装置３８を図示されるようにインターネット１に接続するようにしてもよい。
【００５７】
更に、インターネット１を経由して提供されるサイトの閲覧者が用いるものとして、該インターネット１は、ＩＰテレビ装置５Ａと、携帯電話網２を経由して接続される携帯電話装置５Ｂと、無線ＬＡＮルータ装置４を経由して接続される無線ＬＡＮ端末装置５Ｃと、ＰＣ装置５Ｄと、が接続されている。これらＩＰテレビ装置５Ａ、携帯電話装置５Ｂ、無線ＬＡＮ端末装置５Ｃ、ＰＣ装置５Ｄは、いずれもサイト閲覧者１８が用いるものであり、サイト閲覧用端末装置５と総称する。
【００５８】
なお、ＩＰテレビ装置５Ａや、ＰＣ装置５Ｄ、又前述の新聞販売店ＰＣ装置３８、更には装置３１〜３３、３５、３６などは、いわゆるインターネット・プロバイダが提供する接続手段を介してインターネット１に接続するものであってもよい。又、ＩＰテレビ装置５Ａについては、情報コンテンツや動画コンテンツを有料配信するポータルサービスである「アクトビラ（登録商標）」を利用するものであって、該ポータルサービスに対応するデジタルテレビであってもよい。
【００５９】
又、携帯電話装置５Ｂや無線ＬＡＮ端末装置５Ｃは、無線通信を利用する携帯電話網２や無線ＬＡＮ接続を利用するいわゆるモバイル端末であり、提供されるサイトの閲覧時の場所は不定である。
【００６０】
このため、携帯電話装置５Ｂや無線ＬＡＮ端末装置５Ｃには、ＧＰＳ受信機を内蔵あるいは外付けさせて、インターネット１側から、該ＧＰＳ受信機によって検出される、該当の携帯電話装置５Ｂや無線ＬＡＮ端末装置５Ｃの現位置の位置情報（ＧＰＳ位置情報）を取得できるようにしてもよい。
【００６１】
あるいは、携帯電話装置５Ｂであれば携帯電話網２において接続中の無線局、無線ＬＡＮ端末装置５Ｃであれば接続中の無線ＬＡＮルータ装置４に応じて、これら無線局や無線ＬＡＮルータ装置４の配置位置を示す設定位置情報や、無線のアクセス範囲から、インターネット１側から、該当の携帯電話装置５Ｂや無線ＬＡＮ端末装置５Ｃの現位置の位置情報を取得できるようにしてもよい。こうした無線局や無線ＬＡＮルータ装置４の配置位置を示す設定位置情報は、これら無線局やルータ装置の設置者や通信事業者（キャリア）が定める手法に従って、インターネット１側から取得できる場合が多い。
【００６２】
図９は、本実施形態に用いるサーバ装置やＰＣ装置の典型的なハードウェア構成を示すブロック図である。
【００６３】
この図９では、前述した広告代理店サーバ装置３１、効果測定用サーバ装置３２、データ管理会社サーバ装置３３、コンテンツ管理会社サーバ装置３５、バナー管理会社サーバ装置３６、新聞販売店ＰＣ装置３８、広告パートナー会社サーバ装置４０、及び、サイト閲覧用端末装置５となるＰＣ装置５Ｄの、これら各装置として利用可能なコンピュータ装置の典型的なハードウェア構成が示される。しかしながら、これら各装置は、このようなものに限定されるものではない。
【００６４】
図９の該コンピュータ装置は、ＯＳ（Operating  System）は一例として米国マイクロソフト社のＷｉｎｄｏｗｓ（登録商標）を搭載する、一般的なＰＣ（Personal  Computer）装置であってもよく、特に限定されるものではない。あるいは、ＰＣ装置以外のハードウェアを用いてもよく、例えばＥＷＳ（Engineering  Work  Station）などの、いわゆるワークステーションなどのハードウェアを用いるようにしてもよい。なお、この図において、ハードウェア構成は、説明の関係上一部抽象化されている。
【００６５】
この図において、コンピュータ装置は、ＣＰＵ（Central  Processing  Unit）３１０と、ＲＡＭ（Random  Access  Memory）３１１と、ＲＯＭ（Read  Only  Memory）３１２と、ＬＡＮ−Ｉ／Ｆ（Inter  Face）３１３と、ＭＯＤＥＭ（modulator-demodulator）３１４と、種々のＩ／Ｆ３２０〜３２２とを有している。これらは、バス３０１によって相互接続されている。
【００６６】
なお、ＬＡＮ−Ｉ／Ｆ３１３は、インターネット１に対して接続するために用いられる。この図のコンピュータ装置が、ルータとして用いられる場合は、該ＬＡＮ−Ｉ／Ｆ３１３は、少なくとも２つの異なるネットワーク１に対して同時に接続が可能となっている。
【００６７】
又、バス３０１に対して、Ｉ／Ｆ３２０を介して、画面表示装置３３０が接続されている。又、バス３０３によって相互接続されている、キーボード３３１と、マウス３３２と、プリンタ装置３３３とは、バス３０１に対して、Ｉ／Ｆ３２１を介して接続されている。
【００６８】
更に、バス３０１に対して、Ｉ／Ｆ３２２を介して、ＨＤＤ（Hard  Disc  Drive）装置３４０と、ＣＤ（Compact  Disc）ドライブ装置３４１と、ＦＤＤ（Floppy（登録商標）  Disc  Drive）装置３４２とが接続されている。これらはバス３０２によって相互接続されている。
【００６９】
以上のようなハードウェア構成において、記憶手段、又記憶装置は、ＲＡＭ３１１、ＲＯＭ３１２、ＨＤＤ装置３４０、ＣＤドライブ装置３４１、ＦＤＤ装置３４２などである。このような記憶手段や記憶装置において、ＣＰＵ３１０で実行される様々なプログラムや、本実施形態においてアクセスされるデータベースや諸ファイルやデータが保存され、電子的にアクセスができるようになっている。例えば、ＯＳや、データベースやＪＡＶＡ（登録商標)やＪＳＰ（Java（登録商標）  Server  Page）などのソフトウェア資源を利用する環境を提供するためのプログラム、本実施形態に係るアプリケーション・プログラム、又ウェブ・ブラウザ・プログラムは、ＨＤＤ装置３４０に格納されていて、実行時には、ＲＡＭ３１１に読み出されてＣＰＵ３１０によって実行される。なお、ＬＡＮ−Ｉ／Ｆ３１３は、インターネット１に対する接続などに用いられるものであり、ＣＰＵ３１０で実行されるアプリケーション・プログラムには、サイト閲覧用端末装置５において、インターネット１経由で取得される、ＪＡＶＡ（登録商標)のアプレットや、各種サーバ装置におけるＡＳＰ（Active  Server  Page）の機能によって提供されるものも含まれる。
【００７０】
又、ＯＳやアプリケーション・プログラムその他の実行に際して、オペレータは、画面表示装置３３０に表示出力される地図などの図形情報や文字情報を参照しつつ、キーボード３３１によって文字入力や諸操作を行ったり、マウス３３２によって座標入力や諸操作の入力を行ったりする。又、適宜、プリンタ装置３３３からは必要な図形情報や文字情報を印字出力したりすることができる。言うまでもなく、これら諸出力や入力は、ＣＰＵ３１０で実行されるプログラムによって、電子的な処理によって行われるものである。
【００７１】
なお、ＣＤドライブ装置３４１やＦＤＤ装置３４２は、本願発明を適用して実施する際の、アプリケーション・プログラムのインストールや、その他のオフラインでの情報交換に用いられる。
【００７２】
図１０は、本実施形態の主要部の構成を示すブロック図である。
【００７３】
この図に示されるように、まず、広告代理店サーバ装置３１は、スキャナ画像入力装置５１と、広告依頼情報入力装置５２と、データ入力用コンピュータ装置５３と、コンテンツ作成装置６２と、バナーイメージ作成装置５５と、バナー情報生成装置５６と、を備える。又、効果測定用サーバ装置３２は、アクセスログデータベース装置８３と、広告効果測定装置８４と、を備える。
【００７４】
更に、データ管理会社サーバ装置３３は、クラスタコードデータベース装置７４と、販売店情報データベース装置７５と、を備える。又、コンテンツ管理会社サーバ装置３５は、広告代理店サーバ装置３１が生成するコンテンツデータを記憶保存し、インターネット１を経由する閲覧に供する。バナー管理会社サーバ装置３６は、広告代理店サーバ装置３１が生成するバナー情報を記憶保存し、インターネット１を経由する要求を受け付けて該当するものを提供する。又、新聞販売店ＰＣ装置３８は、グラフィック画面入力装置７１と、データ入力用コンピュータ装置７２と、販売店情報生成装置７３と、を備える。
【００７５】
まず、データ管理会社サーバ装置３３のクラスタコードデータベース装置７４は、汎用エリア区分を定義する情報（汎用地域コード定義情報）、例えば、図２を用いて前述した郵便番号に従った汎用エリア区分、図２１を用いて後述するＧＰＳ位置情報に従った汎用エリア区分、図２３を用いて後述する公衆無線ＬＡＮ網のルータの設定位置情報に従った汎用エリア区分を行うために必要な情報や、クラスタコードやバナーに結び付けるために必要な情報を予め入力し、記憶保存しておく。
【００７６】
次に、該クラスタコードデータベース装置７４は、随時行われる入力により、広告業務を行う業者の営業エリアに対応するクラスタコードを割り当て、１つ又は複数の前記汎用地域コードのエリアと結びつけて該営業エリアを登録し、記憶保存する。例えば、該クラスタコードデータベース装置７４は、前述の図４や図５に示すようなデータテーブルを備え、上述のような営業エリアを該データテーブルに登録し、記憶保存を行う。
【００７７】
ここで、このような広告業務を行う業者の、以上のように登録された営業エリアを示すクラスタコードや、このような営業エリア以外の当該業者のプロファイルの情報は、販売店情報データベース装置７５に記憶保存される。該販売店情報データベース装置７５は、本発明における広告業務業者プロファイル情報データベース装置に相当する。
【００７８】
上述した、クラスタコードの登録や、広告業務を行う業者の営業エリアを示すクラスタコードの入力や設定、又、このような営業エリア以外の当該業者のプロファイルの情報の入力や設定は、新聞販売店ＰＣ装置３８が備える、グラフィック画面入力装置７１、データ入力用コンピュータ装置７２、及び販売店情報生成装置７３を介して、新聞販売店ＰＣ装置３８から行う。
【００７９】
続いて、広告代理店サーバ装置３１において、スキャナ画像入力装置５１は、実際に広告業務の依頼を受け付ける際に、その広告内容の中心となるコンテンツ情報を含んだ、紙媒体で配布される原稿を読み取り、原稿イメージデータを生成することで、原稿イメージデータを取得するものであり、本発明の画像入力装置に対応するものである。
【００８０】
次に、広告依頼情報入力装置５２は、該広告業務依頼の、担当する前記広告業務業者を示す情報を少なくとも含む、プロファイル情報を入力し取得するものである。該広告依頼情報入力装置５２は、本発明の広告依頼情報入力手段に相当する。
【００８１】
ここで、広告業務依頼は、例えば、商店などの広告主１０が、特別販売の日時や内容を盛り込んだチラシを新聞折込みで配布する場合に生じる。この場合、上述のプロファイル情報は、広告主１０の名称や、特別販売の日時や内容となる。又、このようなプロファイル情報は、後述するように、バナーとして表示されるイメージ情報の作成にも利用される。
【００８２】
ここで、グラフィック画面入力装置７１、データ入力用コンピュータ装置７２、販売店情報生成装置７３により、予め販売店情報データベース装置７５に対して、広告業務依頼の広告主１０のプロファイル情報や、新聞販売店１２のプロファイル情報を予め登録するようにしてもよい。又、広告業務依頼の際には、広告主コードや新聞販売店コードのみ入力するようにしてもよい。そして、該入力の際や、後に、バナーとして表示されるイメージ情報の作成の際、広告主１０や新聞販売店１２の名称その他は、販売店情報データベース装置７５から該広告主コードや新聞販売店コードにより検索して取得するようにしてもよい。
【００８３】
なお、以上のようなスキャナ画像入力装置５１や広告依頼情報入力装置５２を用いるコンピュータ処理は、データ入力用コンピュータ装置５３によって行われる。
【００８４】
次に、コンテンツ作成装置６２は、少なくともスキャナ画像入力装置５１により得られた原稿イメージデータから、サイト閲覧者１８のサイト閲覧用端末装置５に対して、コンテンツ情報を提供するためのコンテンツデータを作成するものである。
【００８５】
続いて、バナー情報生成装置５６は、前述のように広告依頼情報入力装置５２により取得した広告業務依頼のプロファイル情報に含まれる、担当する新聞販売店１２（広告業務業者）を示す情報を元に、前述の販売店情報データベース装置７５に記憶保存される情報を検索して、該担当の新聞販売店１２の営業エリアを示すクラスタコードを取得する。
【００８６】
ここで、本実施形態では、コンテンツ情報の提供は、その広告業務依頼の新聞販売店１２の営業エリアにのみ提供するようにしている。この広告業務依頼の新聞販売店１２の営業エリアは、コンテンツ情報の提供の配信エリアとなる。従って、該コンテンツ情報にリンクするバナーの提供も、上記の営業エリアの配信エリアに限定され、該営業エリアを示すクラスタコードに一致するサイト閲覧者１８のサイト閲覧用端末装置５に対してのみ提供するようにし、バナーの閲覧配信地域を該取得したクラスタコードによって限定するようにしている。
【００８７】
次に、バナー情報生成装置５６は、このようなバナーの情報として、当該バナーのクリック時にリンクさせ配信する、コンテンツデータのアクセス用アドレスを取得する。又、該取得したコンテンツデータのアクセス用アドレス、及び、上述のように検索して得られたクラスタコードを併せたものは、該バナー情報生成装置５６の生成物であり、本実施形態においてバナー情報と称している。
【００８８】
又、バナーイメージ作成装置５５は、スキャナ画像入力装置５１により取得した原稿イメージデータや、広告依頼情報入力装置５２により取得した広告業務依頼のプロファイル情報に基づいて、バナーとして表示されるイメージ情報（バナーイメージ情報と呼ぶ）を作成し、バナー管理会社サーバ装置３６に送付する。
【００８９】
ここで、バナー情報生成装置５６のみ、あるいは、バナー情報生成装置５６及びバナーイメージ作成装置５５を組み合わせたものは、本発明のバナー情報生成装置に対応する。
【００９０】
広告代理店サーバ装置３１において、次に、コンテンツ作成装置６２は、少なくとも前述のスキャナ画像入力装置５１により取得した原稿イメージデータから、コンテンツ情報を提供するためのコンテンツデータを作成し、コンテンツ管理会社サーバ装置３５に対して送付する。
【００９１】
以上のように、広告業務依頼の際には、コンテンツ作成装置６２ではコンテンツ情報が作成され、バナー情報生成装置５６ではバナー情報が生成され、バナーイメージ作成装置５５ではバナーとして表示されるイメージ情報が作成される。又、作成されたコンテンツ情報はコンテンツ管理会社サーバ装置３５に、バナー情報、及びバナーのイメージ情報は、バナー管理会社サーバ装置３６に送付される。
【００９２】
次に、コンテンツ管理会社サーバ装置３５は、前述のように、コンテンツ作成装置６２により作成され送付されたコンテンツデータを記憶保存するデータベース装置を備える。このコンテンツデータの記憶保存されているアドレスは、該コンテンツデータにリンクするバナーのバナープロファイル情報データに含まれるものである。又、該コンテンツ管理会社サーバ装置３５は、閲覧配信を受けたバナーのクリック時に発生する、当該バナーのバナープロファイル情報データに含まれるコンテンツデータ・アクセス用アドレスに基づいた、コンテンツ情報の閲覧要求を受信すると、該当するコンテンツデータを配信する。
【００９３】
続いて、バナー管理会社サーバ装置３６は、バナー情報生成装置５６やバナーイメージ作成装置５５でバナー毎に生成されるバナープロファイル情報データを記憶保存するデータベース装置を備える。
【００９４】
又、該バナー管理会社サーバ装置３６は、広告パートナー会社１５Ｄが自らの設ける広告パートナー会社サーバ装置４０から提供する様々なサイト（パートナーサイト）において、適宜、バナーを表示するためのイメージ情報や、該バナーのクリック時に表示するコンテンツデータにリンクするための情報を提供する。
【００９５】
ここで、例えば、パートナーサイトは、このように提供されるバナーの表示やクリックのリンクのための情報を、サイト閲覧用端末装置５に提供するサイト表示のための、例えばＨＴＭＬ（hypertext  markup  language）形式のファイルに埋め込む。あるいは、サイト閲覧用端末装置５からバナー管理会社サーバ装置３６にバナー要求を送信し、直接バナー管理会社サーバ装置３６からバナーの表示やクリックのリンクのための情報をサイト閲覧用端末装置５が受信することも考えられ、この場合、パートナーサイトは、このバナー要求やこれによる情報受信のための記述を、サイト閲覧用端末装置５に提供するＨＴＭＬ形式ファイルに埋め込むようにしてもよい。
【００９６】
バナー管理会社サーバ装置３６は、パートナーサイトを閲覧に供するサーバ装置やサイト閲覧用端末装置５からのバナー要求を受信すると、まず、該バナー要求に含まれる汎用地域コードを、クラスタコードデータベース装置７４に記憶保存される登録に基づいて、対応する営業エリアのクラスタコードに変換する。続いて、該バナー管理会社サーバ装置３６は、該変換のクラスタコードにより、上述のバナープロファイル情報データの自ら内蔵しているデータベース装置を検索して、該変換のクラスタコードが配信エリア情報となっているバナープロファイル情報データを見いだし、該バナー要求に対して、バナーを表示するためのバナーイメージデータと共に、バナー要求の要求元に配信する。
【００９７】
続いて、アクセスログデータベース装置８３は、バナー管理会社サーバ装置３６からのバナーの配信、コンテンツ管理会社サーバ装置３５からのコンテンツ情報の配信を検出し、検出結果を後述するサイトアクセスログに保存する。又、広告効果測定装置８４は、広告主１０などからの依頼に応じて、該サイトアクセスログに基づいて広告効果測定を行い、この依頼元に対して提供する。
【００９８】
なお、図１０において、広告代理店サーバ装置３１、効果測定用サーバ装置３２、データ管理会社サーバ装置３３、コンテンツ管理会社サーバ装置３５、及びバナー管理会社サーバ装置３６は、互いに独立した装置として構成されているが、これら装置の内、２つ以上を互いに組み合わせて構成してもよい。例えば、広告代理店サーバ装置３１に対して、効果測定用サーバ装置３２、データ管理会社サーバ装置３３、コンテンツ管理会社サーバ装置３５、及びバナー管理会社サーバ装置３６の、１つ又は複数を組み合わせて構成するようにしてもよい。
【００９９】
なお、本発明の提供情報生成装置は、本実施形態において、スキャナ画像入力装置５１、広告依頼情報入力装置５２、及び、データ入力用コンピュータ装置５３に対して、バナー情報生成装置５６及びコンテンツ作成装置６２の少なくともいずれか一方を加えたものにより構成されている。又、本発明の狭小エリア対応情報提供装置は、バナー管理会社サーバ装置３６及びコンテンツ管理会社サーバ装置３５の少なくともいずれか一方を備えたものにより構成されている。
【０１００】
図１１は、本実施形態におけるクラスタコード定義登録を含む広告業務依頼処理を示すフローチャートである。
【０１０１】
まず、このフローチャートのステップＳ１１０の前に、予め、データ管理会社サーバ装置３３のクラスタコードデータベース装置７４には、該当する地域における地図情報が保存され、汎用地域コードが「郵便番号」の場合（図２〜図５）、該地域の町丁目情報が保存されている。
【０１０２】
更に、該クラスタコードデータベース装置７４には、一般用に汎用化され、各エリアに汎用の住所コードが付された汎用エリア区分を定義する情報（汎用地域コード定義情報）が入力され、登録されている。例えば、図２にそれぞれ例示したような郵便番号の汎用エリア区分を定義する情報である。該定義は、その汎用エリア区分において、各エリアに含まれる町丁目の集合の情報となっている。
【０１０３】
そして、広告主１０が広告業務依頼をする際には、ステップＳ１１０〜ステップＳ１１３により、営業エリアに対応するクラスタコードを定義し、登録する設定を行う。該設定は、グラフィック画面入力装置７１、データ入力用コンピュータ装置７２、及び販売店情報生成装置７３を用いて、クラスタコードデータベース装置７４及び販売店情報データベース装置７５に対して行う。
【０１０４】
なお、広告業務依頼の新聞販売店１２の営業エリアが既に登録されクラスタコードがある場合には、後述する図１３のフローチャートのように、この登録されているクラスタコードを利用した処理をすることになる。
【０１０５】
ステップＳ１１０では、グラフィック画面入力装置７１において、画面上に該当の地図を表示しながら、営業エリアの境界線を入力する。該入力は、図１のような太線一点鎖線の境界を、この図１の地図表示のような画面表示を図９の画面表示装置３３０において行いながら、マウス３３２により座標入力しながら行う。入力される境界線の入力は、直線を連結した多角形形状となり、ポリゴンの設定となる。又、営業エリアの該設定は、「ポリゴンデータ」として保存される。
【０１０６】
続くステップＳ１１１では、ステップＳ１１０で入力された営業エリアに含まれる町丁目を抽出する。これにより、該営業エリアを、町丁目の集合として定義する情報を生成することができる。
【０１０７】
ステップＳ１１２では、この町丁目の集合として営業エリアを定義する情報において、これに含まれる各町丁目を、汎用地域コード定義情報における各エリアの町丁目の定義と照合させる。これによって、該営業エリアに含まれる、汎用地域コードのエリアを抽出することができる。
【０１０８】
次にステップＳ１１３では、未割り当てのクラスタコードを割り当て、ステップＳ１１２で抽出した１つ又は複数の汎用地域コードのエリアと結び付けられる汎用地域コード群として、該当の営業エリアを登録する。該登録は、前述の図４や図５のようなデータテーブルによるものである。
【０１０９】
以上のステップＳ１１０〜ステップＳ１１３において、営業エリア及びこのクラスタコードが登録されると、続くステップＳ１２０では、スキャナ画像入力装置５１により、広告業務の依頼の、その広告内容の中心となるコンテンツ情報を含んだ、紙媒体で配布される原稿を読み取り、原稿イメージデータを生成する。続いて、ステップＳ１２１では、該広告業務依頼の、担当する前記広告業務業者を示す情報を少なくとも含む、プロファイル情報を入力する。このステップＳ１２１において、広告業務を行う対象範囲を示すクラスタコードを直接的に入力してもよいが、上述のように広告業務業者を示す予め登録されている情報を入力することで、間接的に、広告業務を行う対象範囲を示すクラスタコードを入力することになる。なぜなら、該広告業務業者の登録情報には、該業者の営業エリアを示すクラスタコードが含まれているからである。
【０１１０】
この後、ステップＳ１２３では、コンテンツ作成装置６２は、少なくともスキャナ画像入力装置５１により得られた原稿イメージデータから、サイト閲覧者１８のサイト閲覧用端末装置５に対して、コンテンツ情報を提供するためのコンテンツデータを作成する。
【０１１１】
又、このステップＳ１２３では、バナー情報生成装置５６は、前述のようにステップＳ１１３で登録された、広告業務の担当の新聞販売店１２の営業エリアを示すクラスタコードを取得する。次に、バナー情報生成装置５６は、このようなバナーの情報として、当該バナーのクリック時にリンクさせ配信する、コンテンツデータのアクセス用アドレスを取得する。
【０１１２】
バナー情報生成装置５６は、以上のように取得した、バナーの閲覧配信地域を示すクラスタコード、及び、当該バナーのクリック時にリンクさせ配信するコンテンツデータのアクセス用アドレスを、バナー管理会社サーバ装置３６に送付する。
【０１１３】
又、バナーイメージ作成装置５５は、スキャナ画像入力装置５１により取得した原稿イメージデータや、広告依頼情報入力装置５２により取得した広告業務依頼のプロファイル情報に基づいて、バナーとして表示されるイメージ情報を作成し、バナー管理会社サーバ装置３６に送付する。
【０１１４】
なお、図１２は、本実施形態においてバナー管理会社サーバ装置３６に保存されているバナープロファイル情報データテーブルを示す線図である。
【０１１５】
この図に示されるように、バナープロファイル情報データテーブルは、バナー単位のレコードの集合であり、個々のバナーには個別のバナーコードが付されている。又、バナープロファイル情報データテーブルには、個々のバナーの、閲覧配信の対象になる地域を示すクラスタコードや汎用地域コード、バナーを表示する際のバナーイメージ情報の格納ＵＲＬ、当該バナーのクリック時にリンクさせ配信するコンテンツ情報のアクセス用アドレス（ＵＲＬ）、広告効果測定用のＵＲＬ、広告業務依頼を個別に識別する広告コード、及び、該広告業務依頼の依頼主を識別する広告主コードなどが含まれる。
【０１１６】
図１３は、本実施形態における既存クラスタコード定義登録を利用する広告業務依頼処理を示すフローチャートである。
【０１１７】
広告主１０が広告業務依頼をする際、該当する営業エリアの登録や、該営業エリアに対応するクラスタコードが登録されていない場合、前述した図１１のステップＳ１１０〜ステップＳ１１３のような、データ管理会社サーバ装置３３におけるクラスタコードデータベース装置７４に対する営業エリアの登録や、該営業エリアに対応するクラスタコードの登録を行う必要がある。例えば、広告主１０が広告代理店１１を経由して新聞販売店１２に対して広告業務依頼を行う際、あるいは広告主１０が直接新聞販売店１２に対して広告業務依頼を行う際、この新聞販売店１２の営業エリアの登録や、該営業エリアに対応するクラスタコードが登録されていない場合である。
【０１１８】
これに対して、広告主１０が広告業務依頼をする際、該当する営業エリアが登録されており、又、該営業エリアに対応するクラスタコードが登録されている場合であれば、以上のような、クラスタコードデータベース装置７４に対する営業エリアや、クラスタコードの登録を省くことができる。
【０１１９】
この場合には、この図１３のフローチャートのステップＳ１１５のように、既に登録されているクラスタコードを用いるだけで、該当する営業エリアを設定することができる。例えば、広告活動依頼の際に、広告依頼情報入力装置５２から入力される、広告活動依頼の広告主１０を示す情報には、該新聞販売店１２の営業エリアに対応するクラスタコードが含まれるので、これを用いることができる。
【０１２０】
このステップＳ１１５の後には、前述した図１１と同様に、ステップＳ１２０〜ステップＳ１２３の処理を行うことができる。
【０１２１】
以下、フローチャートを用いて、本実施形態におけるバナーの配信及び表示の処理について、いずれも「郵便番号」を汎用地域コードとして用いる、ＩＰテレビをサイト閲覧用端末装置５とする場合（図１５）、パーソナル・コンピュータをサイト閲覧用端末装置５とする場合（図１６）に分けて説明する。
【０１２２】
なお、「ＧＰＳ位置情報」を汎用地域コードとするモバイル端末、アクセス中のルータの設定位置情報を汎用地域コードとするモバイル端末については、図２１〜図２３を用いて後述する。
【０１２３】
ここで、いずれのサイト閲覧用端末装置５についても、前提として、図８において、サイト閲覧者１８はサイト閲覧用端末装置５により、例えば図１４に概要が示されるような、広告パートナー会社１５Ｄが自ら設ける広告パートナー会社サーバ装置４０から提供する様々なサイト（パートナーサイト）を閲覧するものとする。
【０１２４】
図１４は、本実施形態においてサイト閲覧用端末装置５により閲覧したサイトの表示例を示す表示画面図である。
【０１２５】
図１４では、このようなパートナーサイトの表示例は、符号２０１となる。これらの表示例は、ＰＣ装置５Ｄのサイト閲覧用端末装置５の画面を前提としているが、ＩＰテレビ装置５Ａ、携帯電話装置５Ｂ、無線ＬＡＮ端末装置５Ｃについても、基本的な構成は同様である。
【０１２６】
又、図１４において、符号２０２は、このサイトのコンテンツを表示する領域である。符号２０３は、このサイトにおいて、バナーを表示する領域である。以下では、このバナー表示領域においてバナー表示する際の情報配信について説明する。
【０１２７】
又、以下に説明する図１５及び図１６の各フローチャートは、それぞれに該当するサイト閲覧用端末装置５において、本発明を適用したバナー表示をするための配信を受けるための処理が示される。例えば図１４のサイトを表示する際に、上述の符号２０３のバナー表示領域において、本発明を適用するバナー表示をする際、該表示をするための配信を受けるための処理が示される。
【０１２８】
図１５は、本実施形態においてＩＰテレビがサイト閲覧用端末装置となり「郵便番号」を汎用地域コードとする汎用地域コード対応バナー表示方法を示すフローチャートである。
【０１２９】
ここでは、「アクトビラ（登録商標）」のポータルサービスに対応するＩＰテレビ装置５Ａを前提とする。「アクトビラ（登録商標）」を含め、ＩＰテレビ装置のポータルサービスでは、初めての利用に際して、利用するＩＰテレビ装置５Ａが設置されている地域設定として、設置場所の「郵便番号」を設定するようになっている。又、この設置場所の設定は、適宜、インターネット１側から認識できるようになっており、該認識に応じ、設定されている「郵便番号」に応じて、その周辺のコンテンツ情報のサイトやその周辺のバナーを自動的に提供できるようになっている。
【０１３０】
この図１５のフローチャートにおいて、ステップＳ１３０では、広告パートナー会社１５Ｄが設ける広告パートナー会社サーバ装置４０により提供されるサイトを閲覧する際、例えば図１４のサイトを閲覧する際、符号２０３のバナー表示領域にバナーを表示するためのバナー情報の要求が、バナー管理会社サーバ装置３６に対して送信される。該要求は、サイト閲覧の際に広告パートナー会社サーバ装置４０からＩＰテレビ装置５Ａ（サイト閲覧用端末装置５）に送られている、ＨＴＭＬファイルの記述に基づいて行うことができる。
【０１３１】
ここで、この情報要求には、上述のように設定されている「郵便番号」が含まれる。バナー管理会社サーバ装置３６においてこの「郵便番号」が受信されると、ステップＳ１３０は「Ｙ」と判定しステップＳ１３１に進み、該ステップＳ１３１においてこの「郵便番号」（汎用地域コード）を取得する。あるいは、バナー管理会社サーバ装置３６がこの「郵便番号」を受信できない場合、ステップＳ１３０は「Ｎ」となりステップＳ１３３に進む。
【０１３２】
ＩＰテレビ装置５Ａには、ＰＣ装置５Ｄにおけるウェブブラウザと同様ないわゆる「ｃｏｏｋｉｅ」機能を備えたものがある。この「ｃｏｏｋｉｅ」機能では、サイト閲覧時に種々の情報をＰＣ装置５Ｄ（ＩＰテレビ装置５Ａ）に「ｃｏｏｋｉｅ」として保存しておき、後の該サイトや該サイトの関連サイトの閲覧中に読み出して利用できる。
【０１３３】
このため、ＩＰテレビ装置５Ａの図１５の処理において、あるいは後述するＰＣ装置５Ｄの図１６の処理において、ＩＰテレビ装置５ＡやＰＣ装置５Ｄの設置場所を示す「郵便番号」をサイト閲覧時に入力させて「ｃｏｏｋｉｅ」として保存しておき、後の閲覧時にバナー管理会社サーバ装置３６により読み出して利用するようにしている。
【０１３４】
この図１５において、ステップＳ１３３では、過去において入力され保存されている、このような設置場所を示す「郵便番号」の送信要求を、バナー管理会社サーバ装置３６がＩＰテレビ装置５Ａ（ＰＣ装置５Ｄなどのサイト閲覧用端末装置５）に対して送信する。該送信要求に応じて、ＩＰテレビ装置５Ａにおいて「ｃｏｏｋｉｅ」として保存の「郵便番号」が送信され、且つ、バナー管理会社サーバ装置３６において該送信の「郵便番号」が受信されると、ステップＳ１３３は「Ｙ」と判定しステップＳ１３４に進み、該ステップＳ１３４においてこの「郵便番号」（汎用地域コード）を取得する。あるいは、バナー管理会社サーバ装置３６がこの「郵便番号」を受信できない場合、ステップＳ１３３は「Ｎ」となりステップＳ１３６に進む。
【０１３５】
上述のステップＳ１３０でも、ステップＳ１３３でも「Ｎ」となると、ステップＳ１３６に至る。このステップＳ１３６では、ＩＰテレビ装置５Ａ（ＰＣ装置５Ｄなどのサイト閲覧用端末装置５）において、当該ＩＰテレビ装置５Ａ（ＰＣ装置５Ｄなどのサイト閲覧用端末装置５）が設置されている場所を示す、「ｃｏｏｋｉｅ」として保存するための「郵便番号」をサイト閲覧者１８に入力させる。又、ステップＳ１３７では、入力された「郵便番号」を、当該ＩＰテレビ装置５Ａ（ＰＣ装置５Ｄなどのサイト閲覧用端末装置５）において「ｃｏｏｋｉｅ」として保存する。ステップＳ１３８では、入力された「郵便番号」を、以下の処理に用いるものとして取得する。
【０１３６】
上述のステップＳ１３１、ステップＳ１３４、ステップＳ１３８に続いて、ステップＳ１７０では、これらのステップで取得した「郵便番号」（汎用地域コード）と一致するバナーを、図１２のバナープロファイル情報のデータテーブルにおいて検索する。なお、このデータテーブルにおいて、「郵便番号」の汎用地域コードが記載されず、クラスタコードのみが記載されているのであれば、図４や図５のデータテーブルにより該汎用地域コードに対応するクラスタコードを得てから、該クラスタコードにより図１２のデータテーブルを検索すればよい。
【０１３７】
次に、ステップＳ１７１では、ステップＳ１７０における検索で汎用地域コードやクラスタコードが一致するバナーが見いだされたか判定する。見いだされたと判定された場合、ステップＳ１７２において、汎用地域コードやクラスタコードで登録されているバナーを配信する処理（登録バナー（汎用地域コード対応バナー）配信処理）を行う。あるいは、一致するバナーが見いだされないと判定された場合、ステップＳ１７３において、汎用地域コードやクラスタコードと関連させては登録されていない予備のバナーを配信する処理（予備バナー（汎用地域コード非対応バナー）配信処理）を行う。
【０１３８】
ステップＳ１７２において、見いだされたバナーの図１２のデータテーブルから取得された情報に基づいて、バナー管理会社サーバ装置３６は、バナーを表示するためのバナーイメージ（バナーイメージ情報）の格納ＵＲＬや、バナーのクリック時にリンクするコンテンツリンク先ＵＲＬを、ＩＰテレビ装置５Ａ（ＰＣ装置５Ｄなどのサイト閲覧用端末装置５）に対して送信する。これにより、バナー表示領域２０３において、ＩＰテレビ装置５Ａの設置場所に応じたバナーを表示させ、又このバナーのクリック時には上記のコンテンツリンク先ＵＲＬにリンクし、該コンテンツリンク先ＵＲＬに従った広告主１０提供の適切なコンテンツ情報を表示することができる。このリンク後の広告主１０が提供するサイトの画面表示は、例えば前述の図１４のようになり、この図１４の符号２０２の領域において、広告主１０が提供するコンテンツ情報に基づく表示がなされることになる。
【０１３９】
ステップＳ１７３において、バナー管理会社サーバ装置３６は、予備となるバナーを表示するためのバナーイメージ（バナーイメージ情報）の格納ＵＲＬや、バナーのクリック時にリンクするコンテンツリンク先ＵＲＬを、ＩＰテレビ装置５Ａ（ＰＣ装置５Ｄなどのサイト閲覧用端末装置５）に対して送信する。このバナーのクリック時には適切なコンテンツ情報にリンクし、表示するようになっている。なお、このような予備バナーは、これを表示するためのバナーイメージの格納ＵＲＬや、バナーのクリック時にリンクするコンテンツリンク先ＵＲＬなどが、登録バナーが見出されない場合に予備として代えて表示できるように予め登録しておく。
【０１４０】
なお、以降、バナー管理会社サーバ装置３６及びアクセスログデータベース装置８３は、検索で見出されたバナーの広告効果測定用ＵＲＬにより、このバナーの配信のログをとることができる。
【０１４１】
図１６は、本実施形態においてＰＣ装置がサイト閲覧用端末装置となり「郵便番号」を汎用地域コードとする汎用地域コード対応バナー表示方法を示すフローチャートである。
【０１４２】
本実施形態のＰＣ装置５Ｄでは、ウェブブラウザの「ｃｏｏｋｉｅ」機能を、前述の図１５のＩＰテレビ装置５Ａの例と同様に利用し、ＰＣ装置５Ｄの設置場所を示す「郵便番号」をサイト閲覧時に入力させて「ｃｏｏｋｉｅ」として保存しておき、後の閲覧時にバナー管理会社サーバ装置３６により読み出して利用するようにしている。
【０１４３】
この図１６において、ステップＳ１３３では、過去において入力され保存されている、このような設置場所を示す「郵便番号」の送信要求を、バナー管理会社サーバ装置３６がＰＣ装置５Ｄ（サイト閲覧用端末装置５）に対して送信する。該送信要求に応じて、ＰＣ装置５Ｄにおいて「ｃｏｏｋｉｅ」として保存の「郵便番号」が送信され、且つ、バナー管理会社サーバ装置３６において該送信の「郵便番号」が受信されると、ステップＳ１３３は「Ｙ」と判定しステップＳ１３４に進み、該ステップＳ１３４においてこの「郵便番号」（汎用地域コード）を取得する。あるいは、バナー管理会社サーバ装置３６がこの「郵便番号」を受信できない場合、ステップＳ１３３は「Ｎ」となりステップＳ１３６に進む。
【０１４４】
このステップＳ１３６では、ＰＣ装置５Ｄにおいて、当該ＰＣ装置５Ｄが設置されている場所を示す、「ｃｏｏｋｉｅ」として保存するための「郵便番号」をサイト閲覧者１８に入力させる。又、ステップＳ１３７では、入力された「郵便番号」を、当該ＰＣ装置５Ｄにおいて「ｃｏｏｋｉｅ」として保存する。ステップＳ１３８では、入力された「郵便番号」を、以下の処理に用いるものとして取得する。
【０１４５】
上述のステップＳ１３４、ステップＳ１３８に続いて、ステップＳ１７０では、これらのステップで取得した「郵便番号」（汎用地域コード）と一致するバナーを、図１２のバナープロファイル情報のデータテーブルにおいて検索する。なお、このデータテーブルにおいて、「郵便番号」の汎用地域コードが記載されず、クラスタコードのみが記載されているのであれば、図４や図５のデータテーブルにより該汎用地域コードに対応するクラスタコードを得てから、該クラスタコードにより図１２のデータテーブルを検索すればよい。
【０１４６】
このステップＳ１７０の後には、前述の図１５と同様に、ステップＳ１７１以降の処理を行う。
【０１４７】
図１７は、本実施形態におけるサイトアクセスログ処理を示すフローチャートである。
【０１４８】
本実施形態において、アクセスログデータベース装置８３は、広告効果測定を行うために、図１８に示すようなサイトアクセスログを保存する処理を行う。
【０１４９】
図１８は、本実施形態において用いられるサイトアクセスログの一例を示す線図である。
【０１５０】
この図１８において、各行は個々のアクセスのログに対応して記録されるレコードである。まず、「配信先ＵＲＬ」は、通常は、ログされるアクセスにおいて、バナー管理会社サーバ装置３６によるバナー配信時に、サイト閲覧者１８のサイト閲覧用端末装置５が閲覧しているサイトのＵＲＬとなる。「ログ日時」は、そのログを記録した日時のデータである。「ログ区分」は、そのログが、バナーの配信検出、バナーのクリック検出、あるいは、コンテンツ情報の配信検出のいずれであるかを示すものである。「広告主コード」は、広告業務依頼の依頼主、又バナー提供の広告主を示し、「広告コード」は、広告業務依頼を個別に識別するものであり、バナーによって提供されるコンテンツ情報を示す。「閲覧者所在位置」は、サイト閲覧者１８のサイト閲覧用端末装置５の所在位置を汎用地域コードやクラスタコードで示す。
【０１５１】
この図１７において、まずステップＳ１８０では、バナー管理会社サーバ装置３６からのバナーの配信を検出し、検出された場合は、「ログ区分」を「バナーの配信検出」として、このログを保存する。ステップＳ１８１では、このように配信されたバナーのクリックを検出し、検出された場合は、「ログ区分」を「バナーのクリック検出」として、このログを保存する。ステップＳ１８２では、コンテンツ管理会社サーバ装置３５からのコンテンツ情報の配信を検出し、検出された場合は、「ログ区分」を「コンテンツ情報の配信検出」として、このログを保存する。
【０１５２】
図１９は、本実施形態における広告効果測定処理を示すフローチャートである。
【０１５３】
本実施形態において、広告効果測定装置８４は、図１８により説明したようにしてアクセスログデータベース装置８３が保存したログに基づいて、広告主１０などからの依頼に応じて、本発明が適用される広告業務における広告効果測定を行い、依頼元に対して提供する。
【０１５４】
この図において、まずステップＳ１８５では、広告効果測定装置８４は、広告主１０などから広告効果測定の依頼を受け付ける。ステップＳ１８６では、アクセスログデータベース装置８３が保存した図１８のようなログに基づいて、依頼された広告の広告効果測定を行う。更に、ステップＳ１８８では、該広告効果測定の測定結果に基づいて、例えば図２０に示されるような地図形式など、測定結果を提供するための情報を生成する。そして、ステップＳ１８９では、このように生成された測定結果を、実際に依頼元に対して提供する。
【０１５５】
図２０は、本実施形態において提供する地図様式の広告効果測定結果を示す線図である。
【０１５６】
この図は、前述の図１及び図２に対応するものであり、太線の一点鎖線により営業エリアの境界が図示され、２点鎖線により郵便番号による汎用エリア区分が図示されている。又、各汎用区分エリアにおけるアクセス数は、該当汎用区分エリアの部分において、丸印で図示され、この丸印の大きさがアクセス数の大小を示す。
【０１５７】
このような広告効果測定結果は、サイト閲覧用端末装置５の表示画面において、この図に示されるような画面表示によって行うことができる。あるいは、サイト閲覧用端末装置５からの操作により、印刷出力させ、郵送先住所を設定して、郵送により広告主が受領することもできる。このように広告主に提供されることで、本実施形態では、該当地域における宣伝効果を広告主は視覚的に容易に把握することができる。
【０１５８】
ここで、本発明における汎用エリア区分や汎用地域コードは、一般用に汎用化され、各エリアに汎用の住所コードが付された汎用のエリア区分であればよく、特に限定されるものではない。上述の「郵便番号」や「ＺＩＰコード」のように多大の利用があるものでなくても、運輸事業者や通信事業者や放送事業者などが、他者にも利用を公開しているものであれば、本発明を同様に適用することが可能である。
【０１５９】
例えば、ＧＰＳ（Global  Positioning  System）における緯度及び経度の位置表示（ＧＰＳ位置情報）という汎用の住所コードや、公衆無線ＬＡＮ網におけるアクセス中のルータの設定位置情報やルータ名称やルータ番号という、各エリアや、エリアに対応する個々の携帯電話無線局や公衆無線ＬＡＮルータなどを個別に識別する、汎用の情報に従ったコードなどであってもよい。
【０１６０】
ここまでは、本実施形態において、「郵便番号」を汎用地域コードとする例を中心として説明している。以下においては、図２１及び図２２により「ＧＰＳ位置情報」を汎用地域コードとする例、図２３及び図２４により公衆無線ＬＡＮ網におけるアクセス中のルータの設定位置情報を汎用の住所コードとする例について説明する。
【０１６１】
図２１は、本実施形態においてＧＰＳにおける緯度及び経度の位置表示（ＧＰＳ位置情報）という、汎用の住所コードに従った汎用エリア区分の変形例を示す模式的な地図である。
【０１６２】
図２１においては、太線の一点鎖線によるクラスタコードの営業エリアの境界の描画から明らかであるが、前述の図１と同じ地域が図示される。又、そのクラスタコード自体が図示され、前述のクラスタコードが「Ａ０００１」、「Ａ０００２」、「Ａ００１１」の営業エリアが含まれている。
【０１６３】
更に、この図２１においては、０００−０００〜０００−００５、００１−０００〜００１−００５、００２−０００〜００２−００５、００３−０００〜００３−００５の汎用地域コードが付されたＺＩＰエリアが図示される。この汎用地域コードは、図中「Ｏｒｇ」の×印を基準点として、各ＺＩＰエリアに付される連番である。特に、この汎用地域コードにおいて、「−」の前は、経度に応じて付されたエリア列の連番であり、「−」の後は、緯度に応じて付されたエリア行の連番である。
【０１６４】
本実施形態では、ＧＰＳ位置情報という汎用地域コードについても、広告業務を行う業者の営業エリアに対応するクラスタコードを割り当て、１つ又は複数の前記汎用地域コードのエリアと結び付けられる汎用地域コード群として該営業エリアを定義する。又、該定義は、クラスタコードデータベース装置７４に記憶保存する。
【０１６５】
ここで、ＧＰＳにより検出された位置表示情報（ＧＰＳ位置情報）では、緯度及び経度がそれぞれ「度」及び「分（６０進数）」の表示で表される。従って、緯度及び経度を特定の幅（度数や分数）で区分していくことで、図２１に示されるようなエリアのグリッドを得ることができる。この場合、図２１に示されるような汎用地域コードと結び付けて後述するクラスタコードやバナーと結び付けるようにしてもよいが、緯度及び経度を特定の幅で区分しながら、ＧＰＳ位置情報自体を、クラスタコードやバナーと結び付ける汎用エリア区分の汎用地域コードとして用いることも可能である。
【０１６６】
なお、いずれにしても、ＧＰＳ位置情報を用いてエリア区分を行うのであれば、このエリア区分は、汎用的な緯度及び経度に基づくものであり、汎用エリア区分となる。
【０１６７】
なお、図２１に示される汎用地域コード（ＣＸ−ＣＹ）についても、次式により、ＧＰＳ位置情報から一意的に求めることができる。ここで、図２１において「Ｏｒｇ」の×印で図示される、基準点の緯度及び経度をそれぞれＹＯ及びＸＯとする。又、各エリアの緯度方向の幅及び経度方向の幅をそれぞれＹＬ及びＸＬとする。すると、ＧＰＳ位置情報より得られる該当地点の位置の緯度及び経度のＹ及びＸから、当該地点の図２１において用いられる汎用地域コードは算術的に次式から求めることができる。
【０１６８】
ＣＸ＝（（（Ｘ−ＸＯ）／ＸＬ）の除算の切り捨て整数値）
ＣＹ＝（（（Ｙ−ＹＯ）／ＹＬ）の除算の切り捨て整数値）
【０１６９】
ここで、この図２１に示されるように、クラスタコードが「Ａ０００１」の営業エリアには、０００−００３〜０００−００５、００１−００３〜００１−００５、００２−００３〜００２−００４、００３−００３〜００３−００４の個々の汎用地域コードのエリアの、全部又は一部が含まれている。又、クラスタコードが「Ａ００１１」の営業エリアには、０００−０００〜０００−００２、００１−０００〜００１−００２、００２−０００〜００２−００３、００３−０００〜００３−００２の個々の汎用地域コードのエリアの、全部又は一部が含まれている。
【０１７０】
ここで、前述した図１１のフローチャートに関する説明では、図２〜図５を用いて前述した「郵便番号」を汎用地域コードとする例を中心としている。
【０１７１】
これに対して、図２１を用いて前述した緯度及び経度の位置情報を含むＧＰＳ位置情報の変形例の場合、図１１のフローチャートに示される処理は、若干異なるものとなる。
【０１７２】
まず、図１１のフローチャートのステップＳ１１０の前に、予め、データ管理会社サーバ装置３３のクラスタコードデータベース装置７４には、該当する地域における地図情報を保存しておく。これと共に、図２１において前述したような連番による汎用地域コードを用いる場合には、各汎用地域コードとその緯度及び経度の対応を示す情報を保存しておく。
【０１７３】
次に、ステップＳ１１０については、いずれにしても営業エリアを設定するものであり、前述と同様に行う。
【０１７４】
続いて、ステップＳ１１１では、ステップＳ１１０で入力された営業エリアに含まれる緯度及び経度を抽出する。これにより、該営業エリアを、緯度及び経度の集合として定義する情報を生成することができる。
【０１７５】
ステップＳ１１２では、この緯度及び経度の集合として営業エリアを定義する情報において、各営業エリアに含まれる緯度及び経度を、汎用地域コード定義情報における緯度及び経度の定義と照合させる。これによって、該営業エリアに含まれる、汎用地域コードのエリアを抽出することができる。
【０１７６】
次にステップＳ１１３では、未割り当てのクラスタコードを割り当て、ステップＳ１１２で抽出した１つ又は複数の汎用地域コードのエリアと結び付けられる汎用地域コード群として、該当の営業エリアを登録する。
【０１７７】
そして、このステップＳ１１３の後、ステップＳ１２０以降は前述のとおりとなる。
【０１７８】
図２２は、本実施形態においてＧＰＳ利用モバイル端末がサイト閲覧用端末装置となり「ＧＰＳ位置情報」を汎用地域コードとする汎用地域コード対応バナー表示方法を示すフローチャートである。
【０１７９】
ここでは、ＧＰＳ受信機を内蔵あるいは外付けした、携帯電話装置５Ｂや無線ＬＡＮ端末装置５Ｃ（ＧＰＳ利用モバイル端末）を前提とし、インターネット１側から、該ＧＰＳ受信機によって検出される、該当のＧＰＳ利用モバイル端末の現位置の位置情報を取得するようにしている。
【０１８０】
なお、この図２２はこのように「ＧＰＳ位置情報」を汎用地域コードとするものであるが、この図２２は、前述した、本実施形態において、ＩＰテレビがサイト閲覧用端末装置となり「郵便番号」を汎用地域コードとする図１５や、ＰＣ装置がサイト閲覧用端末装置となり「郵便番号」を汎用地域コードとする図１６に対応するものである。
【０１８１】
この図２２のフローチャートにおいて、ステップＳ１４０では、広告パートナー会社１５Ｄが設ける広告パートナー会社サーバ装置４０により提供されるサイトを閲覧する際、前述の図１５のフローチャートの場合と同様、バナーを表示するためのバナー情報の要求が、バナー管理会社サーバ装置３６に対して送信される。
【０１８２】
ここで、バナー管理会社サーバ装置３６で受けるこの情報要求には、図２１により前述したＧＰＳ位置情報が含まれる。バナー管理会社サーバ装置３６においてこの「ＧＰＳ位置情報」が受信されると、ステップＳ１４１においてこの「ＧＰＳ位置情報」から、図２１を用いて前述した汎用地域コードを取得する。
【０１８３】
このステップＳ１４１の後には、「ＧＰＳ位置情報」のデータテーブルを用いながら、前述の図１５と同様に、ステップＳ１７０以降の処理を行う。
【０１８４】
続いて、図２３は、本実施形態において、公衆無線ＬＡＮ網におけるアクセス中のルータの設定位置情報を利用した変形例における、汎用の住所コードが付された汎用エリア区分を示す模式的な地図である。
【０１８５】
まず図２３においては、太線の一点鎖線によるクラスタコードの営業エリアの境界の描画からあきらかであるが、前述の図１と同じ地域が図示される。又、そのクラスタコード自体が図示され、前述のクラスタコードが「Ａ０００１」、「Ａ０００２」、「Ａ００１１」の営業エリアが含まれている。
【０１８６】
更に、この図２３においては、Ｌ０００１〜Ｌ０００３のルータ番号が付された公衆無線ＬＡＮルータの位置が示され、又これらルータの位置を中とする２点鎖線の円によって無線のアクセス範囲の目安が図示される。これら公衆無線ＬＡＮルータは、設定位置情報を有している。
【０１８７】
本実施形態では、ルータの設定位置情報という汎用地域コードについても、広告業務を行う業者の営業エリアに対応するクラスタコードを割り当て、１つ又は複数の前記汎用地域コードのエリアと結び付けられる汎用地域コード群として該営業エリアを定義する。又、該定義は、クラスタコードデータベース装置７４に記憶保存する。
【０１８８】
又、このような公衆無線ＬＡＮのルータを経由してインターネット上のサイトにアクセスする場合、該ルータの設定位置情報をアクセス中のサイトに通知することができる。該設定位置情報には、その公衆無線ＬＡＮルータが設置されている場所の緯度経度情報が含まれる場合がある。この場合には、図２１を用いて前述した、ＧＰＳ位置情報に含まれる緯度経度情報により汎用地域コードを得ること同様に、公衆無線ＬＡＮルータの場所の緯度経度情報から汎用地域コードを得ることができる。
【０１８９】
あるいは、該設定位置情報に、その公衆無線ＬＡＮルータが設置されている場所の緯度経度情報が含まれず、単にそのルータ番号が含まれる場合にも、予め何らかの手段によって、各公衆無線ＬＡＮルータが設置されている場所の緯度及び経度の情報を入手できる場合がある。この場合、このような情報に基づいたデータテーブルを予め求めておくことにより、該当のクラスタコードを取得することができる。又、このデータテーブルは、公衆無線ＬＡＮルータが設置されている場所の位置に基づいて予め設定しておく。
【０１９０】
ここで、前述した図１１及び図１２のフローチャートに関する説明では、図２〜図５を用いて前述した「郵便番号」を汎用地域コードとする例を中心としている。
【０１９１】
これに対して、図２３を用いて前述した、ＧＰＳ位置情報と同様の緯度及び経度の位置情報を含む、公衆無線ＬＡＮ網のルータの設定位置情報の変形例の場合、又、同じく図２３を用いて前述した、公衆無線ＬＡＮルータの設定位置情報ではなくルータ番号を用いる変形例の場合、この図１１のフローチャートに示される処理は、若干異なるものとなる。
【０１９２】
まず、図１１のフローチャートのステップＳ１１０の前に、予め、データ管理会社サーバ装置３３のクラスタコードデータベース装置７４には、該当する地域における地図情報を保存しておく。これと共に、図２１において前述したような連番による汎用地域コードを用いる場合には、各汎用地域コードとその緯度及び経度の対応を示す情報を保存しておく。
【０１９３】
又、公衆無線ＬＡＮルータの設定位置情報ではなくルータ番号を用いる例の場合、予め何らかの手段によって、各公衆無線ＬＡＮルータが設置されている場所の緯度及び経度の情報を入手する。そして、このような情報に基づき、各公衆無線ＬＡＮルータが設置されている場所の緯度及び経度のデータテーブルを予め求めて、クラスタコードデータベース装置７４において保存しておく。
【０１９４】
次に、ステップＳ１１０については、いずれにしても営業エリアを設定するものであり、前述と同様に行う。
【０１９５】
続いて、ステップＳ１１１では、ステップＳ１１０で入力された営業エリアに含まれる緯度及び経度を抽出する。これにより、該営業エリアを、緯度及び経度の集合として定義する情報を生成することができる。
【０１９６】
ステップＳ１１２では、この緯度及び経度の集合として営業エリアを定義する情報において、各営業エリアに含まれる緯度及び経度を、汎用地域コード定義情報における緯度及び経度の定義と照合させる。これによって、該営業エリアに含まれる、汎用地域コードのエリアを抽出することができる。
【０１９７】
次にステップＳ１１３では、未割り当てのクラスタコードを割り当て、ステップＳ１１２で抽出した１つ又は複数の汎用地域コードのエリアと結び付けられる汎用地域コード群として、該当の営業エリアを登録する。
【０１９８】
そして、このステップＳ１１３の後、ステップＳ１２０以降は前述のとおりとなる。
【０１９９】
図２４は、本実施形態において公衆無線ＬＡＮルータ利用モバイル端末がサイト閲覧用端末装置となり「ルータの設定位置情報」を汎用地域コードとする汎用地域コード対応バナー表示方法を示すフローチャートである。
【０２００】
ここでは、公衆無線ＬＡＮ網に接続し利用される携帯電話装置５Ｂや無線ＬＡＮ端末装置５Ｃ（公衆無線ＬＡＮ利用モバイル端末）を前提とし、インターネット１側から、その公衆無線ＬＡＮ利用モバイル端末がアクセスで接続中の無線ＬＡＮルータ装置４の設定位置情報を取得するようにしている。
【０２０１】
なお、図２４はこのように「ルータの設定位置情報」を汎用地域コードとするものであるが、この図２４は、前述した本実施形態において、ＩＰテレビがサイト閲覧用端末装置となり「郵便番号」を汎用地域コードとする図１５や、ＰＣ装置がサイト閲覧用端末装置となり「郵便番号」を汎用地域コードとする図１６や、ＧＰＳ利用モバイル端末がサイト閲覧用端末装置となり「ＧＰＳ位置情報」を汎用地域コードとする図２２に対応するものである。
【０２０２】
この図２４のフローチャートにおいて、ステップＳ１５０では、広告パートナー会社１５Ｄが設ける広告パートナー会社サーバ装置４０により提供されるサイトを閲覧する際、前述の図１５のフローチャートの場合と同様、バナーを表示するためのバナー情報の要求が、バナー管理会社サーバ装置３６に対して送信される。
【０２０３】
ここで、この情報要求には、図２３により前述した無線ＬＡＮルータ装置４の設定位置情報が含まれる。バナー管理会社サーバ装置３６においてこの「設定位置情報」が受信されると、ステップＳ１５１においてこの「設定位置情報」から、図２３を用いて前述した汎用地域コードを取得する。
【０２０４】
このステップＳ１５１の後には、「設定位置情報」のデータテーブルを用いながら、前述の図１５と同様に、ステップＳ１７０以降の処理を行う。
【０２０５】
以下、本実施形態における変形例について説明する。
【０２０６】
以上に説明した広告業務は、本発明において、広告主から依頼されて行うものに限定されるものではなく、又、有償あるいは無償を問わず、自社やその製品の情報の広報などであってもよい。例えばこのような広告業務は、製薬会社や食品製造会社などの薬局や病院や販売店に対する営業活動に伴った、医薬品の効能や注意事項などの広報活動であってもよい。
【０２０７】
又、本発明のコンテンツ情報は、二次元画像のイメージ情報や、文字情報に限定されるものではない。例えば、メッセージアナウンスや音楽を含むような音声情報や、ビデオ画像やアニメーションなどの動画像情報であってもよい。但し、新聞折込みチラシを用いる広告業務から移行する際のコンテンツ情報であれば、二次元画像のイメージ情報であれば、従来からの紙媒体のチラシ原稿や、この元になる電子媒体の原稿をそのまま用いることができる。
【０２０８】
前述の図１０において、本発明の画像入力装置が原稿イメージデータを広告主１０側から取得する際の入力元は、前述のような紙媒体の原稿に限定されるものではない。電子媒体によるものであってもよく、例えば、広告主１０側が提供する元々電子的なイメージデータや様々な電子データを入力し取得するものであってもよく、紙媒体の原稿を広告主１０側でスキャンして得ているＪＰＥＧ（Joint  Photographic  Experts  Group）形式やＴＩＦＦ（Tagged  Image  File  Format）形式などのイメージデータや、ＰＤＦ（Portable  Document  Format）形式や、ＸＭＬ（extensible  markup  language）形式や、ＨＴＭＬ形式の電子データの提供を広告主１０から受けて入力し、これに対して必要な変換処理を行って、原稿イメージデータを取得するものであってもよい。
【０２０９】
又、このような電子的なイメージデータの入力や取得を行う場合には、スキャナ画像入力装置５１に代えて、所定の情報入力装置、例えば、携帯型の外部記憶装置を接続するためのＵＳＢ（Universal  Serial  Bus）インタフェイスや、インターネット１への接続装置などを利用し、オンラインで電子ファイルとして入力すればよい。
【０２１０】
又、このようにスキャナ画像入力装置５１や所定の情報入力装置を用いて取得される原稿イメージデータは、ＪＰＥＧ（Joint  Photographic  Experts  Group）形式などの画像イメージデータに限定されるものではなく、サイトからコンテンツ情報として提供する際の、表示イメージが定義できるものであればよい。例えば、ＰＤＦ形式や、ＸＭＬ形式や、ＨＴＭＬ形式の電子データであっても、サイトから提供する際の表示イメージが定義され、確定されるので、本発明の画像入力装置が取得する原稿イメージデータの形式として同様に用いることができる。
【０２１１】
図２５は、本実施形態において、前述した図６や図８の変形例となる、その広告内容を含む紙媒体の原稿を広告主１０から受け取ってから、実際にこの広告内容をサイト閲覧者１８が閲覧するまでの概要を示すフローチャートである。又、図２６は、この図２５の変形例における、本実施形態のエリア・ターゲッティング広告配信システムを構成する各装置の設置者とこれら装置の相互関係を示すブロック図である。
【０２１２】
前述した図６や図８では、広告代理店１１が新聞折込み専門広告代理店の場合の典型例が示され、このような広告代理店１１が、その広告内容の中心となるコンテンツ情報を含んだ、紙媒体の原稿を広告主１０から受け取るものである（図中のＡ１、Ａ２）。
【０２１３】
これに対して、図６に対応する図２５、及び図８に対応する図２６に示されるこの変形例では、まず、新聞販売店１２が、その広告内容の中心となるコンテンツ情報を含んだ、紙媒体の原稿を広告主１０から受け取る（図中のＡ２０、Ａ２１）。この紙媒体の原稿によって作成されるチラシは、この新聞販売店１２が定期購読者の新聞購読者１３に新聞を配達する際に、折込みチラシとして新聞購読者１３に配布される（図中のＡ５、Ａ６）。又、この新聞販売店１２は、この紙媒体の原稿を広告代理店１１に渡す（図中のＡ２３）。
【０２１４】
これ以後、広告代理店１１が行う内容は、図６と同様である（図中のＡ７〜Ａ１４）。広告代理店１１は、この紙媒体の原稿を元に、提供するコンテンツ情報を含む原稿イメージデータを生成し、電子化されたコンテンツデータを作成すると共に、このコンテンツデータを閲覧に供する際の、バナー情報を作成する。
【０２１５】
これら図２５及び図２６で示される変形例は、広告代理店１１が、データ通信網を利用した広告業務を行う。又、既に該広告代理店１１と取引のある広告主１０の便宜を図るため、新聞販売店１２が、コンテンツ情報の元になる紙媒体のチラシ広告やクラスタコードに関する情報の訂正や登録を受け付けるように、インターネット１を介して広告代理店サーバ装置３１やデータ管理会社サーバ装置３３に接続される新聞販売店ＰＣ装置３８を設置している場合を例としている。この変形例では、特に、広告主１０の住所が広告代理店１１より新聞販売店１２に近い場合には、広告主１０が要する労力を削減することができる。
【０２１６】
次に、図２７は、本実施形態における主要部の第１の変形例の構成を示すブロック図である。
【０２１７】
この図２７は、前述の図１０に示した本実施形態主要部の第１の変形例であり、広告代理店サーバ装置３１において、効果測定用サーバ装置３２、データ管理会社サーバ装置３３、コンテンツ管理会社サーバ装置３５、及びバナー管理会社サーバ装置３６を組み合わせて構成するようにしている。
【０２１８】
このように、これらグラフィック画面入力装置７１、データ入力用コンピュータ装置７２、及び販売店情報生成装置７３を、広告代理店サーバ装置３１に備えるようにすることで、クラスタコードの登録や、広告業務を行う業者の営業エリアを示すクラスタコードの入力や設定、又、このような営業エリア以外の当該業者のプロファイルの情報の入力や設定を、広告代理店１１において行うことができる。
【０２１９】
続いて、図２８は、本実施形態における主要部の第２の変形例の構成を示すブロック図である。
【０２２０】
この図２８は、前述の図１０に示した本実施形態主要部の第２の変形例であり、新聞販売店１２の新聞販売店ＰＣ装置３８において、スキャナ画像入力装置５１、広告依頼情報入力装置５２、及びデータ入力用コンピュータ装置５３を備えるようにしている。この場合、データ入力用コンピュータ装置５３から、前述のコンテンツ作成装置６２、バナーイメージ作成装置５５、及びバナー情報生成装置５６に対する接続は、インターネット１を経由するものとなる。
【０２２１】
このように新聞販売店ＰＣ装置３８において設けると、広告主１０は広告業務依頼の際、新聞販売店１２において、バナー情報、バナーイメージ情報、及び、コンテンツ情報を作成することができる。
【０２２２】
なお、以上に説明した実施形態においては、パートナーサイトの閲覧の際にバナーを共に閲覧に供するためのバナー情報の要求の際、該閲覧のサイト閲覧用端末装置５の所在を示す汎用地域コードを、インターネット１を経由して該サイト閲覧用端末装置５の側から取得し、取得した汎用地域コードに対応してバナー情報を配信している。しかしながら、本願発明は、このようなものに限定されるものではない。
【０２２３】
例えば、パートナーサイト閲覧中のバナーのクリック時に発生するコンテンツ情報へのリンクの際に、該閲覧のサイト閲覧用端末装置５の所在を示す汎用地域コードを、インターネット１を経由して該サイト閲覧用端末装置５の側からバナー管理会社サーバ装置３６やコンテンツ管理会社サーバ装置３５で取得し、取得した汎用地域コードに対応してコンテンツ情報を配信するようにしてもよい。
【０２２４】
このようにサイト閲覧用端末装置５の側から取得した汎用地域コードに対応してコンテンツ情報を配信する場合、汎用地域コードに対応してバナー情報を配信する、前述の図１５、図１６、図２２、図２４の各フローチャートに示される処理を、バナープロファイル情報やバナー情報に代えて、リンクプロファイル情報やコンテンツ情報に対して行うようにすればよい。このリンクプロファイル情報は、バナーのクリック時にコンテンツ情報を配信する際の、そのコンテンツ情報の配信エリアを設定する情報と、該コンテンツ情報が保存されているアドレスを示す情報とを含む。
【０２２５】
あるいは、パートナーサイトの閲覧の際にバナーを共に閲覧に供するためのバナー情報の要求の際、又は、パートナーサイト閲覧中のバナーやボタンのクリックの際に、該閲覧のサイト閲覧用端末装置５の所在を示す汎用地域コード、及び該閲覧をする者の電子メールのアドレスを、インターネット１を経由して該サイト閲覧用端末装置５の側から取得し、コンテンツ情報を含む電子メールを、該取得の電子メールアドレスに対して送信するようにしてもよい。
【０２２６】
この場合、広告業務の依頼を受け付ける際には、広告内容の中心となるコンテンツ情報を含んだ原稿イメージデータを取得すると共に、前述したバナープロファイル情報やリンクプロファイル情報に対応する、メールプロファイル情報を生成する。このメールプロファイル情報は、広告業務においてインターネットにより送信するコンテンツ情報を含んだ電子メールの配信エリアを設定する情報と、該コンテンツ情報が保存されているアドレスを示す情報とを含むものである。
【０２２７】
以上のような電子メールを用いる場合には、汎用地域コードに対応してバナー情報を配信する、前述の図１５、図１６、図２２、図２４の各フローチャートに示される処理を、バナープロファイル情報やバナー情報に代えて、メールプロファイル情報やコンテンツ情報に対して行うようにすればよい。
【符号の説明】
【０２２８】
１…インターネット
２…携帯電話網
４…無線ＬＡＮルータ装置
５…サイト閲覧用端末装置
５Ａ…ＩＰテレビ装置
５Ｂ…携帯電話装置
５Ｃ…無線ＬＡＮ端末装置
５Ｄ…ＰＣ装置
１０…広告主
１１…広告代理店
１２…新聞販売店
１３…新聞購読者
１５…パートナーＩＴ会社
１８…サイト閲覧者
３１…広告代理店サーバ装置
３２…効果測定用サーバ装置
３３…データ管理会社サーバ装置
３５…コンテンツ管理会社サーバ装置
３６…バナー管理会社サーバ装置
３８…新聞販売店ＰＣ装置
４０…広告パートナー会社サーバ装置
５１…スキャナ画像入力装置
５２…広告依頼情報入力装置
５３…データ入力用コンピュータ装置
５５…バナーイメージ作成装置
５６…バナー情報生成装置
６２…コンテンツ作成装置
７１…グラフィック画面入力装置
７２…データ入力用コンピュータ装置
７３…販売店情報生成装置
７４…クラスタコードデータベース装置
７５…販売店情報データベース装置
８３…アクセスログデータベース装置
８４…広告効果測定装置
【図１】
2012032893.tif 000003
【図２】
2012032893.tif 000004
【図３】
2012032893.tif 000005
【図４】
2012032893.tif 000006
【図５】
2012032893.tif 000007
【図６】
2012032893.tif 000008
【図７】
2012032893.tif 000009
【図８】
2012032893.tif 000010
【図９】
2012032893.tif 000011
【図１０】
2012032893.tif 000012
【図１１】
2012032893.tif 000013
【図１２】
2012032893.tif 000014
【図１３】
2012032893.tif 000015
【図１４】
2012032893.tif 000016
【図１５】
2012032893.tif 000017
【図１６】
2012032893.tif 000018
【図１７】
2012032893.tif 000019
【図１８】
2012032893.tif 000020
【図１９】
2012032893.tif 000021
【図２０】
2012032893.tif 000022
【図２１】
2012032893.tif 000023
【図２２】
2012032893.tif 000024
【図２３】
2012032893.tif 000025
【図２４】
2012032893.tif 000026
【図２５】
2012032893.tif 000027
【図２６】
2012032893.tif 000028
【図２７】
2012032893.tif 000029
【図２８】
2012032893.tif 000030